(57)【要約】  被写体からの光を映像信号に変換する撮像素子部（１１２）と、撮像素子部（１１２）により変換された映像信号から明暗パターンを検出することにより、照明光に重畳された情報を検出する光パターン検出部（１４１）と、光パターン検出部（１４１）により検出された情報である検出情報と予め定められた判定情報とを比較する比較部（１４２）と、比較部（１４２）による比較結果に応じて、特定画像を表示する表示部（１３２）とを備える。
2011111296.tif 000002
【特許請求の範囲】
【請求項１】
情報が重畳された照明光が照射される被写体を撮影する撮影装置であって、
前記被写体からの光を映像信号に変換する撮像素子部と、
前記撮像素子部により変換された前記映像信号から明暗パターンを検出することにより、前記照明光に重畳された前記情報を検出する光パターン検出部と、
前記光パターン検出部により検出された前記情報である検出情報と予め定められた判定情報とを比較する比較部と、
前記比較部による比較結果に応じて、特定画像を表示する表示部とを備える
撮影装置。
【請求項２】
前記撮像素子部は、ＣＭＯＳ（Complementary Metal Oxide Semiconductor）イメージセンサを使用して前記被写体からの光を前記映像信号に変換し、
前記映像信号は、ピクチャに対応するＲＡＷデータを示し、
前記光パターン検出部は、前記ＲＡＷデータを用いて該ＲＡＷデータに対応するピクチャを構成する複数の画素の輝度値を算出し、
前記光パターン検出部は、該ピクチャに対応する複数の輝度値の状態を、前記明暗パターンとして検出する
請求項１に記載の撮影装置。
【請求項３】
前記撮像素子部は、ＣＣＤ（Charge Coupled Device）イメージセンサを使用して前記被写体からの光を前記映像信号に変換し、
前記映像信号は、複数のピクチャにそれぞれ対応する複数のＲＡＷデータを示し、
前記光パターン検出部は、前記各ＲＡＷデータを用いて該ＲＡＷデータに対応するピクチャを構成する複数の画素の輝度値を算出し、
前記光パターン検出部は、前記複数のピクチャの各々に対応する各輝度値の状態を前記明暗パターンとして検出する
請求項１に記載の撮影装置。
【請求項４】
前記映像信号は、ピクチャに対応するＲＡＷデータを示し、
前記撮影装置は、さらに、
前記ＲＡＷデータを用いて、該ＲＡＷデータに対応するピクチャを構成する複数の画素の輝度値を算出する画像処理部を備え、
前記光パターン検出部は、該ピクチャに対応する複数の輝度値の状態を、前記明暗パターンとして検出する
請求項１に記載の撮影装置。
【請求項５】
前記比較部は、前記検出情報と前記判定情報とを比較することにより、前記検出情報と前記判定情報とが一致するか否かを判定し、
前記表示部は、前記検出情報と前記判定情報とが一致する場合、前記特定画像を表示し、前記検出情報と前記判定情報とが一致しない場合、前記特定画像を表示しない
請求項１〜４のいずれか１項に記載の撮影装置。
【請求項６】
前記判定情報を記憶する記憶部を備える、
請求項１〜５のいずれか１項に記載の撮影装置。
【請求項７】
前記判定情報は、撮影を禁止するための指示を示し、
前記撮影装置は、さらに、
前記検出情報と前記判定情報とが一致する場合、前記撮影装置の動作モードとして、撮影が許可されない撮影禁止モードを設定するモード設定部を備え、
前記特定画像は、撮影が禁止されている旨を示す
請求項１〜６のいずれか１項に記載の撮影装置。
【請求項８】
前記撮影装置は、さらに、
フラッシュ光を発光するためのフラッシュ発光部を備え、
前記判定情報は、撮影時における前記フラッシュ光の発光を禁止するための指示を示し、
前記撮影装置は、さらに、
前記検出情報と前記判定情報とが一致する場合、撮影時における前記フラッシュ光の発光をオフにするよう前記フラッシュ発光部を制御する発光制御部を備え、
前記特定画像は、前記フラッシュ光の発光が禁止されている旨を示す
請求項１〜６のいずれか１項に記載の撮影装置。
【請求項９】
前記判定情報は、撮影時におけるＩＳＯ感度を増加させるための指示を示し、
前記撮影装置は、さらに、
前記検出情報と前記判定情報とが一致する場合、撮影時におけるＩＳＯ感度を増加させる制御を行うＩＳＯ感度変更部を備える
請求項１〜６のいずれか１項に記載の撮影装置。
【請求項１０】
前記撮影装置は、さらに、
オートフォーカスを補助するための補助光を発光する補助光部を備え、
前記判定情報は、撮影時における前記補助光の発光をオフにするための指示を示し、
前記撮影装置は、さらに、
前記検出情報と前記判定情報とが一致する場合、撮影時における前記補助光の発光をオフにするよう前記補助光部を制御する補助光制御部を備える、
請求項１〜６のいずれか１項に記載の撮影装置。
【請求項１１】
前記判定情報は、静止画の撮影を禁止するための指示を示し、
前記撮影装置は、さらに、
前記検出情報と前記判定情報とが一致する場合、前記撮影装置の動作モードとして、静止画の撮影が許可されない静止画撮影禁止モードを設定するモード設定部を備える
請求項１〜６のいずれか１項に記載の撮影装置。
【請求項１２】
前記判定情報は、動画の撮影を禁止するための指示を示し、
前記撮影装置は、さらに、
前記検出情報と前記判定情報とが一致する場合、前記撮影装置の動作モードとして、動画の撮影が許可されない動画画撮影禁止モードを設定するモード設定部を備える
請求項１〜６のいずれか１項に記載の撮影装置。
【請求項１３】
前記判定情報は、シャッター音の出力を禁止するための指示を示し、
前記撮影装置は、さらに、
音声を出力するためのスピーカーと、
前記検出情報と前記判定情報とが一致する場合、前記スピーカーに前記シャッター音としての音声を出力させないよう制御するシャッター音制御部とを備える
請求項１〜６のいずれか１項に記載の撮影装置。
【請求項１４】
前記撮影装置は、さらに、
メカシャッターの開閉により露光時間を変更するためのメカシャッター部を備え、
前記判定情報は、前記メカシャッターを開放するための指示を示し、
前記撮影装置は、さらに、
前記検出情報と前記判定情報とが一致する場合、前記メカシャッターを開放させるよう前記メカシャッター部を制御するメカシャッター制御部を備える
請求項１〜６のいずれか１項に記載の撮影装置。
【請求項１５】
前記判定情報は、画像の輝度を下げる指示を示し、
前記撮影装置は、さらに、
前記検出情報と前記判定情報とが一致する場合、前記表示部が表示中の画像の輝度を下げさせる制御を行う表示制御部を備える
請求項１〜６のいずれか１項に記載の撮影装置。
【請求項１６】
前記判定情報は、画像の輝度を下げる指示を示し、
前記撮影装置は、さらに、
画像を表示するためのＥＶＦ（Electronic View Finder）と、
前記検出情報と前記判定情報とが一致する場合、前記表示部および前記ＥＶＦの少なくとも一方の表示中の画像の輝度を下げさせる制御を行う表示制御部とを備える
請求項１〜６のいずれか１項に記載の撮影装置。
【請求項１７】
前記撮影装置は、さらに、
外部からの操作を受付ける操作部と、
前記撮影装置の動作状態を報知するためのステータス光を発光するためのステータス報知部と、
前記操作部が、前記撮影装置の動作状態を報知するための操作を受付けた場合、前記ステータス報知部に前記撮影装置の動作状態に対応する所定の周期で前記ステータス光を点滅させる制御を行うステータス報知制御部とを備える
請求項１〜６のいずれか１項に記載の撮影装置。
【請求項１８】
前記判定情報は、静止画の撮影を禁止するための指示を示し、
前記表示部は、前記検出情報と前記判定情報とが一致する場合、前記撮影装置の動作モードとして、動画を撮影するための動画撮影モードを設定するか否かを促すための前記特定画像を表示する、
請求項１〜６のいずれか１項に記載の撮影装置。
【請求項１９】
前記判定情報は、動画の撮影を禁止するための指示を示し、
前記表示部は、前記検出情報と前記判定情報とが一致する場合、前記撮影装置の動作モードとして、静止画を撮影するための静止画撮影モードを設定するか否かを促すための前記特定画像を表示する、
請求項１〜６のいずれか１項に記載の撮影装置。
【請求項２０】
情報が重畳された照明光が照射される被写体を撮影する撮影装置が行う情報検出方法であって、
前記撮影装置は、
前記被写体からの光を映像信号に変換する撮像素子部と、
画像を表示するための表示部とを備え、
前記情報検出方法は、
前記撮像素子部により変換された前記映像信号から明暗パターンを検出することにより、前記照明光に重畳された前記情報を検出する検出ステップと、
前記検出ステップにより検出された前記情報である検出情報と予め定められた判定情報とを比較する比較ステップと、
前記表示部が、前記比較ステップによる比較結果に応じて特定画像を表示するステップとを備える、
情報検出方法。
【発明の詳細な説明】
【技術分野】
【０００１】
本発明は、照明光が照射される環境において撮影する撮影装置に関する。
【背景技術】
【０００２】
近年、デジタルスチルカメラ、デジタルビデオカメラ等のデジタルカメラの撮影画像の高画質化が進んでいる。また、デジタルカメラの小型化が進んでいる。そのため、ユーザーは、デジタルカメラを使用することにより、様々な場面において高画質な画像を容易に撮影することができるようになった。【０００３】
その一方、美術館、講演会場等のような撮影が禁止されている場所において、ユーザーがデジタルカメラにより、撮影禁止の映像および画像を無断で撮影するという問題があった。また、撮影が禁止されている場所において、ユーザーがデジタルカメラにより、撮影が禁止されていることに気づかずにうっかり撮影してしまう恐れがあった。また、デジタルカメラが使用される際、フラッシュ撮影禁止の場面でうっかりフラッシュが使用されてしまうという問題があった。【０００４】
上記問題を解決するために、特許文献１には、時間的に変化する光パターンを発光する撮影対象に対して撮影機能を制限することで装置の使用を制限する撮影装置（以下、従来の撮影装置という）が開示されている。従来の撮影装置は、光に重畳された情報としての制御ＩＤを検出することにより、当該撮影装置を制御する。
【先行技術文献】
【特許文献】
【０００５】
【特許文献１】特開２００９−１７７２５４号公報（第８頁、図３等）
【発明の概要】
【発明が解決しようとする課題】
【０００６】
しかしながら、従来の撮影装置では、撮像素子としてのＣＣＤ（Charge Coupled Device）に加え、光に重畳された情報を検出するための専用の受光素子が別途必要であった。そのため、当該撮影装置のコストが高くなるという問題があった。【０００７】
本発明は、上述の問題点を解決するためになされたものであって、その目的は、光に重畳された情報の検出を低コストで実現可能な撮影装置等を提供することである。
【課題を解決するための手段】
【０００８】
上述の課題を解決するために、この発明のある局面に従う撮影装置は、情報が重畳された照明光が照射される被写体を撮影する。撮影装置は、前記被写体からの光を映像信号に変換する撮像素子部と、前記撮像素子部により変換された前記映像信号から明暗パターンを検出することにより、前記照明光に重畳された前記情報を検出する光パターン検出部と、前記光パターン検出部により検出された前記情報である検出情報と予め定められた判定情報とを比較する比較部と、前記比較部による比較結果に応じて、特定画像を表示する表示部とを備える。【０００９】
すなわち、撮像素子部が、被写体からの光を映像信号に変換する。光パターン検出部が、映像信号から明暗パターンを検出することにより、照明光に重畳された情報を検出する。すなわち、光を映像信号に変換する撮像素子部以外に、光に重畳された情報を検出するための専用の受光素子が不要である。したがって、光に重畳された情報の検出を低コストで実現することができる。【００１０】
また、好ましくは、前記撮像素子部は、ＣＭＯＳ（Complementary Metal Oxide Semiconductor）イメージセンサを使用して前記被写体からの光を前記映像信号に変換し、前記映像信号は、ピクチャに対応するＲＡＷデータを示し、前記光パターン検出部は、前記ＲＡＷデータを用いて該ＲＡＷデータに対応するピクチャを構成する複数の画素の輝度値を算出し、前記光パターン検出部は、該ピクチャに対応する複数の輝度値の状態を、前記明暗パターンとして検出する。【００１１】
また、好ましくは、前記撮像素子部は、ＣＣＤ（Charge Coupled Device）イメージセンサを使用して前記被写体からの光を前記映像信号に変換し、前記映像信号は、複数のピクチャにそれぞれ対応する複数のＲＡＷデータを示し、前記光パターン検出部は、前記各ＲＡＷデータを用いて該ＲＡＷデータに対応するピクチャを構成する複数の画素の輝度値を算出し、前記光パターン検出部は、前記複数のピクチャの各々に対応する各輝度値の状態を前記明暗パターンとして検出する。【００１２】
また、好ましくは、前記映像信号は、ピクチャに対応するＲＡＷデータを示し、前記撮影装置は、さらに、前記ＲＡＷデータを用いて、該ＲＡＷデータに対応するピクチャを構成する複数の画素の輝度値を算出する画像処理部を備え、前記光パターン検出部は、該ピクチャに対応する複数の輝度値の状態を、前記明暗パターンとして検出する。【００１３】
また、好ましくは、前記比較部は、前記検出情報と前記判定情報とを比較することにより、前記検出情報と前記判定情報とが一致するか否かを判定し、前記表示部は、前記検出情報と前記判定情報とが一致する場合、前記特定画像を表示し、前記検出情報と前記判定情報とが一致しない場合、前記特定画像を表示しない。【００１４】
また、好ましくは、前記判定情報を記憶する記憶部を備える。【００１５】
また、好ましくは、前記判定情報は、撮影を禁止するための指示を示し、前記撮影装置は、さらに、前記検出情報と前記判定情報とが一致する場合、前記撮影装置の動作モードとして、撮影が許可されない撮影禁止モードを設定するモード設定部を備え、前記特定画像は、撮影が禁止されている旨を示す。【００１６】
また、好ましくは、前記撮影装置は、さらに、フラッシュ光を発光するためのフラッシュ発光部を備え、前記判定情報は、撮影時における前記フラッシュ光の発光を禁止するための指示を示し、前記撮影装置は、さらに、前記検出情報と前記判定情報とが一致する場合、撮影時における前記フラッシュ光の発光をオフにするよう前記フラッシュ発光部を制御する発光制御部を備え、前記特定画像は、前記フラッシュ光の発光が禁止されている旨を示す。【００１７】
また、好ましくは、前記判定情報は、撮影時におけるＩＳＯ感度を増加させるための指示を示し、前記撮影装置は、さらに、前記検出情報と前記判定情報とが一致する場合、撮影時におけるＩＳＯ感度を増加させる制御を行うＩＳＯ感度変更部を備える。【００１８】
これにより、撮影時におけるＩＳＯ感度を増加させることにより、光量不足を補い、良好な撮影をすることができる。【００１９】
また、好ましくは、前記撮影装置は、さらに、オートフォーカスを補助するための補助光を発光する補助光部を備え、前記判定情報は、撮影時における前記補助光の発光をオフにするための指示を示し、前記撮影装置は、さらに、前記検出情報と前記判定情報とが一致する場合、撮影時における前記補助光の発光をオフにするよう前記補助光部を制御する補助光制御部を備える。【００２０】
また、好ましくは、前記判定情報は、静止画の撮影を禁止するための指示を示し、前記撮影装置は、さらに、前記検出情報と前記判定情報とが一致する場合、前記撮影装置の動作モードとして、静止画の撮影が許可されない静止画撮影禁止モードを設定するモード設定部を備える。【００２１】
また、好ましくは、前記判定情報は、動画の撮影を禁止するための指示を示し、前記撮影装置は、さらに、前記検出情報と前記判定情報とが一致する場合、前記撮影装置の動作モードとして、動画の撮影が許可されない動画画撮影禁止モードを設定するモード設定部を備える。【００２２】
また、好ましくは、前記判定情報は、シャッター音の出力を禁止するための指示を示し、前記撮影装置は、さらに、音声を出力するためのスピーカーと、前記検出情報と前記判定情報とが一致する場合、前記スピーカーに前記シャッター音としての音声を出力させないよう制御するシャッター音制御部とを備える。【００２３】
また、好ましくは、前記撮影装置は、さらに、メカシャッターの開閉により露光時間を変更するためのメカシャッター部を備え、前記判定情報は、前記メカシャッターを開放するための指示を示し、前記撮影装置は、さらに、前記検出情報と前記判定情報とが一致する場合、前記メカシャッターを開放させるよう前記メカシャッター部を制御するメカシャッター制御部を備える。【００２４】
また、好ましくは、前記判定情報は、画像の輝度を下げる指示を示し、前記撮影装置は、さらに、前記検出情報と前記判定情報とが一致する場合、前記表示部が表示中の画像の輝度を下げさせる制御を行う表示制御部を備える。【００２５】
また、好ましくは、前記判定情報は、画像の輝度を下げる指示を示し、前記撮影装置は、さらに、画像を表示するためのＥＶＦ（Electronic View Finder）と、前記検出情報と前記判定情報とが一致する場合、前記表示部および前記ＥＶＦの少なくとも一方の表示中の画像の輝度を下げさせる制御を行う表示制御部とを備える。【００２６】
また、好ましくは、前記撮影装置は、さらに、外部からの操作を受付ける操作部と、前記撮影装置の動作状態を報知するためのステータス光を発光するためのステータス報知部と、前記操作部が、前記撮影装置の動作状態を報知するための操作を受付けた場合、前記ステータス報知部に前記撮影装置の動作状態に対応する所定の周期で前記ステータス光を点滅させる制御を行うステータス報知制御部とを備える。【００２７】
これにより、ステータス報知部が、所定の周期でステータス光を点滅させることにより、撮影装置の動作状態を把握することができる。【００２８】
また、好ましくは、前記判定情報は、静止画の撮影を禁止するための指示を示し、前記表示部は、前記検出情報と前記判定情報とが一致する場合、前記撮影装置の動作モードとして、動画を撮影するための動画撮影モードを設定するか否かを促すための前記特定画像を表示する。【００２９】
また、好ましくは、前記判定情報は、動画の撮影を禁止するための指示を示し、前記表示部は、前記検出情報と前記判定情報とが一致する場合、前記撮影装置の動作モードとして、静止画を撮影するための静止画撮影モードを設定するか否かを促すための前記特定画像を表示する。【００３０】
この発明の他の局面に従う情報検出方法は、情報が重畳された照明光が照射される被写体を撮影する撮影装置が行う。前記撮影装置は、前記被写体からの光を映像信号に変換する撮像素子部と、画像を表示するための表示部とを備え、前記情報検出方法は、前記撮像素子部により変換された前記映像信号から明暗パターンを検出することにより、前記照明光に重畳された前記情報を検出する検出ステップと、前記検出ステップにより検出された前記情報である検出情報と予め定められた判定情報とを比較する比較ステップと、前記表示部が、前記比較ステップによる比較結果に応じて特定画像を表示するステップとを備える。【００３１】
なお、本発明は、このような撮影装置を構成する複数の構成要素の全てまたは一部を、システムＬＳＩ（Large Scale Integration：大規模集積回路）として実現してもよい。【００３２】
また、本発明は、撮影装置が備える特徴的な構成部の動作をステップとする情報検出方法として実現してもよい。また、本発明は、そのような情報検出方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【発明の効果】
【００３３】
本発明により、光に重畳された情報の検出を低コストで実現することができる。
【図面の簡単な説明】
【００３４】
【図１】図１は、第１の実施の形態における撮影システムの構成を示すブロック図である。
【図２】図２は、直管型蛍光灯が照射する光を説明するための図である。
【図３】図３は、照明光に情報を重畳させる方法を説明するための図である。
【図４】図４は、撮影装置の構成を示すブロック図である。
【図５】図５は、一例としての判定情報テーブルを示す図である。
【図６】図６は、一例としての指示情報テーブルを示す図である。
【図７】図７は、処理部の機能構成を示すブロック図である。
【図８】図８は、照明対応処理のフローチャートである。
【図９】図９は、一例としてのピクチャを示す図である。
【図１０】図１０は、複数のピクチャを利用して、照明光に重畳された情報の検出方法を説明するための図である。
【図１１】図１１は、撮像補助制御処理のフローチャートである。
【図１２】図１２は、モード切替制御処理のフローチャートである。
【図１３】図１３は、一例としての特定画像を示す図である。
【図１４】図１４は、一例としての特定画像を示す図である。
【図１５】図１５は、表示制御処理のフローチャートである。
【図１６】図１６は、第１の実施の形態の変形例における撮影システムの構成を示すブロック図である。
【図１７】図１７は、撮影装置の構成を示すブロック図である。
【図１８】図１８は、照明対応処理Ａのフローチャートである。
【図１９】図１９は、照明光に情報を重畳させる方法を説明するための図である。
【図２０】図２０は、照明光に情報を重畳させる方法を説明するための図である。
【図２１】図２１は、複数のピクチャを利用して、照明光に重畳された特定周期の明暗パターンの検出方法を説明するための図である。
【図２２】図２２は、撮影装置の特徴的な機能構成を示すブロック図である。
【発明を実施するための形態】
【００３５】
以下、図面を参照しつつ、本発明の実施の形態について説明する。なお、実施の形態において同じ符号を付した構成要素は同様の動作を行うので、再度の説明を省略する場合がある。
【００３６】
＜第１の実施の形態＞
図１は、第１の実施の形態における撮影システム１０００の構成を示すブロック図である。
【００３７】
図１に示されるように、撮影システム１０００は、照明５０と、撮影装置１００とを含む。
【００３８】
撮影装置１００は、デジタルスチルカメラまたはデジタルビデオカメラ等のデジタルカメラである。
【００３９】
照明５０は、詳細は後述するが、情報を重畳した光を照射する。以下においては、照明５０が照射する光を、照明光という。照明５０は、交流電圧で動作する直管型蛍光灯である。照明光は、照明５０の近傍の被写体（例えば、人物）に照射される。撮影装置１００は、照明光が照射される被写体が発する光Ｌ１０を受光する。
【００４０】
なお、照明５０は、直管型蛍光灯に限定されず、後述のＬＥＤ（Light Emitting Diode）照明、インバーター式蛍光灯等であってもよい。照明５０は、図示しない商用電源から供給される交流電圧を使用して照明光を照射する。
【００４１】
図２は、直管型蛍光灯が照射する光を説明するための図である。
【００４２】
図２（ａ）は、交流電圧の波形を示す図である。当該交流電圧の周波数は、一例として６０Ｈｚであるとする。６０Ｈｚは、主に西日本地域で供給されている交流電源の周波数である。なお、当該交流電圧の周波数は、２４Ｈｚ、５０Ｈｚ、５９.９４Ｈｚ、１２０Ｈｚなどであってもよい。
【００４３】
図２（ｂ）は、図２（ａ）の交流電圧で動作する直管型蛍光灯が照射する照明光の光量の変化を示す図である。以下においては、直管型蛍光灯が照射する照明光の光量の変化の周期を、低周波照明周期という。低周波照明周期は、撮影地（例えば、西日本地域）の電源周波数（例えば、６０Ｈｚ）に対応する。
【００４４】
図２（ｂ）に示されるように、低周波照明周期は、図２（ａ）の交流電圧の１周期をＴ秒とすると、Ｔ／２秒である。なお、光量を示す縦軸において、横軸と交わる位置の光量は０ではなく少量の光量を示す。後述の図に示される光量についても同様である。
【００４５】
図２（ｃ）は、図２（ｂ）の光量の変化の状態を示すイメージ図である。図２（ｃ）において、白に近い部分程、直管型蛍光灯が照射する光が明るいことを示す。また、黒は、直管型蛍光灯が照射する光が暗いことを示す。黒に近い部分程、直管型蛍光灯が照射する光が暗いことを示す。
【００４６】
照明５０は、電源制御回路（図示せず）を有する。ここで、照明５０が、直管型蛍光灯である場合において、照明光に情報を重畳させる方法について説明する。この場合、照明５０の電源制御回路は、光を照射するために使用する交流電圧の波形を変化させることにより、照明光に情報を重畳させる。
【００４７】
図３は、照明光に情報を重畳させる方法を説明するための図である。
【００４８】
図３（ａ）は、波形を変化させた交流電圧の波形の一例を示す図である。照明５０の電源制御回路は、一例として図３（ａ）のような波形の交流電圧を生成することができる。図３（ａ）では、一例として、期間αの電源電圧が０Ｖであることを示す。
【００４９】
なお、照明５０は、発光方式を変更する方法等により、図３（ａ）のような波形の交流電圧を生成してもよい。
【００５０】
図３（ｂ）は、図３（ａ）の交流電圧を使用した照明５０が照射する光の量の変化を示す図である。図３（ｂ）において、例えば、輝度が０である期間を“１”とし、輝度が０でない期間を“０”と定義することにより、照明光に情報を重畳させることができる。
【００５１】
なお、これに限定されず、輝度が０である期間を“０”とし、輝度が０でない期間を“１”と定義することにより、照明光に情報を重畳させてもよい。
【００５２】
照明５０は、図３（ａ）の期間αに対応する波形を、特定周期で発生させることにより、照明光に情報を重畳させることができる。
【００５３】
なお、上記のように、交流電圧の周期に応じて照明光に情報を重畳させる期間を規定する以外に、例えば、任意の期間で照明光に情報を重畳させるようにしてもよい。
【００５４】
図３（ｃ）は、図３（ｂ）の光量の変化の状態を示すイメージ図である。
【００５５】
図４は、撮影装置１００の構成を示すブロック図である。
【００５６】
図４に示されるように、撮影装置１００は、メカシャッター部１１１と、撮像素子部１１２と、画像処理部１２０と、ＥＶＦ（Electronic View Finder）１３１と、表示部１３２と、記憶部１４３とを備える。
【００５７】
メカシャッター部１１１は、外部からの光を遮断するためのメカシャッターを含む。メカシャッター部１１１は、外部からの指示に応じて、メカシャッターを開放したり、閉じたりする。メカシャッター部１１１は、メカシャッターの開閉により露光時間を変更する。以下においては、メカシャッター部１１１のメカシャッターの動作による露光時間を、メカ露光時間という。
【００５８】
撮像素子部１１２は、イメージセンサと、ＡＤ変換部とを含む。イメージセンサは、ＣＭＯＳ（Complementary Metal Oxide Semiconductor）イメージセンサまたはＣＣＤ（Charge Coupled Device）イメージセンサである。イメージセンサは、電子シャッターを有する。撮像素子部１１２は、電子シャッターを制御して露光時間を変化させることができる。以下においては、電子シャッターの制御による露光時間を、電子露光時間という。
【００５９】
ＣＭＯＳイメージセンサおよびＣＣＤイメージセンサの各々は、行列状に配列された複数のカラーフィルタを含む。複数のカラーフィルタの配列は、ベイヤー配列である。なお、当該複数のカラーフィルタの配列はベイヤー配列に限定されず、他の配列であってもよい。
【００６０】
ＣＭＯＳイメージセンサおよびＣＣＤイメージセンサの各々は、周知なセンサであるので詳細な処理の説明は行わない。
【００６１】
ＡＤ変換部は、アナログ信号をデジタル信号に変換する。
【００６２】
メカシャッター部１１１のシャッターが開いている場合、撮像素子部１１２のイメージセンサは、光Ｌ１０を受光する。撮像素子部１１２は、受光した光Ｌ１０をイメージセンサにより電気信号に変換し、当該電気信号をＡＤ変換部によりｓ（自然数）ビットのデジタル信号（以下、映像信号という）に変換する。
【００６３】
当該映像信号は、動画像を構成する複数のピクチャの各々に対応するＲＡＷデータを示す信号である。当該動画像における１秒当たりのピクチャの数は、電子露光時間によって変化する。例えば、電子露光時間が、１／３０秒である場合、当該動画像における１秒当たりのピクチャの数は、３０枚となる。この場合、映像信号が示すＲＡＷデータは、１／３０秒毎に変化する。
【００６４】
撮像素子部１１２は、映像信号を、画像処理部１２０および光パターン検出部１４１へ送信する。
【００６５】
画像処理部１２０は、画像処理Ｎを行う。画像処理Ｎでは、画像処理部１２０が、受信した映像信号が示す各ＲＡＷデータに対し、デモザイク処理を行う。これにより、画像処理部１２０は、各ＲＡＷデータに対応するＲＧＢデータを得る。そして、画像処理部１２０は、各ＲＧＢデータから、輝度信号および色差信号を得るための色変換処理を行うことにより、各ＲＧＢデータに対応する輝度信号（Ｙ）および色差信号（Ｃ）を得る。
【００６６】
画像処理部１２０は、輝度信号および色差信号を得る毎に、当該輝度信号および色差信号を、ＥＶＦ１３１および表示部１３２へ送信する。
【００６７】
なお、画像処理Ｎでは、必要に応じて、ホワイトバランス調整、ガンマ補正、ゲイン補正、歪曲補正、拡大縮小ズーム等の処理も行われる。なお、画像処理Ｎで得られたＲＧＢデータがＥＶＦ１３１および表示部１３２へ送信されてもよい。
【００６８】
ＥＶＦ１３１は、バックライトを使用して画像を表示する小型のＬＣＤ（Liquid Crystal Display）を有する。ＥＶＦ１３１は、当該ＬＣＤを使用して画像を表示する。なお、ＥＶＦ１３１は、ＬＣＤ以外の表示装置を有してもよい。ＥＶＦ１３１は、画像処理部１２０から送信される輝度信号および色差信号（もしくはＲＧＢデータ）に基づく画像を表示する。
【００６９】
表示部１３２は、バックライトを使用して画像を表示するＬＣＤである。表示部１３２は、画像を表示する。なお、表示部１３２は、ＬＣＤ以外の表示装置であってもよい。表示部１３２は、画像処理部１２０から送信される輝度信号および色差信号（もしくはＲＧＢデータ）に基づく画像を表示する。
【００７０】
記憶部１４３は、不揮発性のメモリである。なお、記憶部１４３は、揮発性のメモリ（例えば、ＳＲＡＭ）であってもよい。なお、記憶部１４３に記憶される情報は、図示しないＲＯＭから読み出され、記憶部１４３に記憶された情報であってもよい。
【００７１】
記憶部１４３は、照明光に重畳された情報を検出するための判定情報テーブルＴ１００を記憶する。
【００７２】
なお、記憶部１４３に判定情報テーブルＴ１００が記憶される過程は問わない。例えば、記録媒体を介して判定情報テーブルＴ１００が記憶部１４３に記憶されてもよい。また、通信回線等を介して送信された判定情報テーブルＴ１００が記憶部１４３に記憶されてもよい。また、入力デバイスを介して入力された判定情報テーブルＴ１００が記憶部１４３に記憶されてもよい。
【００７３】
図５は、一例としての判定情報テーブルＴ１００を示す図である。
【００７４】
図５において、「番号」は、「判定コード」を特定するための番号である。「判定コード」とは、照明光に重畳された情報を検出するための判定情報である。判定コードは、一例として、２進数の数字で表現される。なお、判定コードは、２進数の数字に限定されず、他の記号（例えば、アルファベット）で表現されてもよい。
【００７５】
図５において、「指示」とは、対応する判定コードに対応する指示である。詳細は後述するが、撮影装置１００は、当該指示に応じた処理を行う。
【００７６】
照明５０は、判定情報テーブルＴ１００に示される複数の指示コードの一部または全てを示す指示情報テーブルＴ５０を記憶している。
【００７７】
図６は、一例としての指示情報テーブルＴ５０を示す図である。
【００７８】
図６において、「番号」は、「指示コード」を特定するための番号である。「指示コード」とは、撮影装置１００を制御するための指示情報である。指示コードは、一例として、２進数の数字で表現される。なお、指示コードは、２進数の数字に限定されず、他の記号（例えば、アルファベット）で表現されてもよい。
【００７９】
図６において、「指示」とは、対応する指示コードに対応する指示である。指示情報テーブルＴ５０には、指示情報としての複数の指示コードが示されるが、１つの指示コードのみが示されてもよい。
【００８０】
照明５０は、例えば、図３で説明した方法により、指示情報テーブルＴ５０に示される全ての指示コードを照明光に重畳させ、当該照明光を照射する。照明５０が照射する照明光には、指示情報テーブルＴ５０に示される全ての指示コードが所定の周期で連続して繰り返し重畳される。
【００８１】
なお、照明光に重畳される指示コードは、指示情報テーブルＴ５０に示される全ての指示コードでなく、一部の指示コードであってもよい。
【００８２】
再び、図４を参照して、撮影装置１００は、さらに、光パターン検出部１４１と、比較部１４２と、処理部１５０と、操作部１７０と、フラッシュ発光部１７１と、補助光部１７２と、スピーカー１８１と、ステータス報知部１８２とを備える。
【００８３】
光パターン検出部１４１は、詳細は後述するが、撮像素子部１１２から受信する映像信号を利用して、後述の処理を行う。
【００８４】
比較部１４２は、詳細は後述するが、光パターン検出部１４１から受信する情報を使用して後述する処理を行う。
【００８５】
処理部１５０は、ＭＰＵ（Micro Processing Unit）である。なお、処理部１５０は、ＭＰＵに限定されることなく、演算機能を有するその他の回路、特定の処理を行う専用回路等であってもよい。処理部１５０は、図示しないメモリに記憶されているプログラムを実行することにより、後述する各種処理を行う。
【００８６】
操作部１７０は、ユーザーが操作するための複数のボタンおよびダイヤルを含む。操作部１７０は、複数のボタンおよびダイヤルに対するユーザーの操作状態を検知し、当該操作状態を示す操作情報を、処理部１５０へ送信する。
【００８７】
処理部１５０は、受信した操作情報に対応する処理を行う。すなわち、操作部１７０は、ユーザーが撮影装置１００を操作するためのインターフェースである。以下においては、ユーザーにより行われる、操作部１７０の操作を、操作Ｕともいう。
【００８８】
フラッシュ発光部１７１は、フラッシュ光の発光が許可されている場合、撮影時にフラッシュ光を発光する。
【００８９】
補助光部１７２は、ＬＥＤ、赤外線電球等の発光素子を有する。補助光部１７２は、後述の補助光制御部１５４による制御に従って、当該発光素子を使用して補助光を発光する。当該補助光は、例えば、撮影時におけるオートフォーカスを補助するための光である。
【００９０】
補助光が被写体に照射されることにより、被写体からの光Ｌ１０の光量が小さい場合でも、光Ｌ１０の光量を大きくすることができる。
【００９１】
スピーカー１８１は、音声を出力する。
【００９２】
ステータス報知部１８２は、ＬＥＤ等の発光素子を有する。ステータス報知部１８２は、後述のステータス報知制御部１６０による制御に従って、当該発光素子を使用してステータス光を発光する。ステータス光とは、撮影装置１００の動作状態を報知するための光である。ステータス報知部１８２は、発光素子が発光するステータス光の点滅周期を、所定の点滅周期にすることにより、撮影装置１００の動作状態を報知する。撮影装置１００の動作状態は、例えば、撮影状態である。
【００９３】
なお、ステータス報知部１８２は、複数の発光素子を有していてもよい。この場合、複数の発光素子が発する光の組み合わせ等により、撮影装置１００の動作状態を報知してもよい。
【００９４】
撮影装置１００は、動作モードとして、静止画撮影モード、動画撮影モード、撮影禁止モード、発光禁止モード、静止画撮影禁止モードおよび動画撮影禁止モードを有する。各動作モードは、設定された場合に有効になり、解除された場合に無効となる。
【００９５】
撮影装置１００は、設定された複数の動作モードの各々に対応する動作を行う。例えば、撮影装置１００の動作モードとして、静止画撮影モードおよび発光禁止モードが設定された場合、撮影装置１００は、当該静止画撮影モードおよび発光禁止モードの各々に対応する動作を行う。
【００９６】
静止画撮影モードは、静止画を撮影するためのモードである。動画撮影モードは、動画を撮影するためのモードである。
【００９７】
撮影装置１００に含まれる光パターン検出部１４１および比較部１４２の全てまたは一部は、ＬＳＩ（Large Scale Integration：大規模集積回路）等のハードウエアで構成されてもよい。また、画像処理部１２０、光パターン検出部１４１、比較部１４２および処理部１５０の全てまたは一部は、１つのＬＳＩ（Large Scale Integration：大規模集積回路）等のハードウエアで構成されてもよい。
【００９８】
また、光パターン検出部１４１、比較部１４２、画像処理部１２０の全てまたは一部は、ＣＰＵ等のプロセッサにより実行されるプログラムのモジュールであってもよい。
【００９９】
図７は、処理部１５０の機能構成を示すブロック図である。
【０１００】
処理部１５０は、撮影禁止設定部１５１と、発光制御部１５２と、画像生成部１５３と、補助光制御部１５４と、モード設定部１５５と、操作判定部１５６と、シャッター音制御部１５７と、メカシャッター制御部１５８と、表示制御部１５９と、ステータス報知制御部１６０と、ＩＳＯ感度変更部１６１とを含む。
【０１０１】
処理部１５０に含まれる各部の詳細な動作は後述する。
【０１０２】
モード設定部１５５は、撮影装置１００の動作モードとして、後述する各種モードを設定する。ＩＳＯ感度変更部１６１は、撮像素子部１１２の露光時間を長くするための処理、ゲインを調整する処理、画像処理部１２０におけるゲインを調整するための処理等を行う。
【０１０３】
なお、処理部１５０に含まれる、撮影禁止設定部１５１、発光制御部１５２、画像生成部１５３、補助光制御部１５４、モード設定部１５５、操作判定部１５６、シャッター音制御部１５７、メカシャッター制御部１５８、表示制御部１５９、ステータス報知制御部１６０およびＩＳＯ感度変更部１６１の全てまたは一部は、ＬＳＩ等のハードウエアで構成されてもよい。
【０１０４】
また、撮影禁止設定部１５１、発光制御部１５２、画像生成部１５３、補助光制御部１５４、モード設定部１５５、操作判定部１５６、シャッター音制御部１５７、メカシャッター制御部１５８、表示制御部１５９、ステータス報知制御部１６０およびＩＳＯ感度変更部１６１の全てまたは一部は、処理部１５０により実行されるプログラムのモジュールであってもよい。
【０１０５】
次に、本実施の形態における撮影装置１００が行う具体的な処理（以下、照明対応処理という）について説明する。照明対応処理は、撮影装置１００の動作モードとして、静止画撮影モードまたは動画撮影モードが設定されている場合に行われる。静止画撮影モードまたは動画撮影モードの各々は、例えば、対応する撮影モードを設定するための操作Ｕが行われた場合に設定される。
【０１０６】
静止画撮影モードまたは動画撮影モードが設定されると、処理部１５０は、撮影のための制御を、撮影装置１００内の各部に対し行う。例えば、処理部１５０は、シャッターを開放させる指示を、メカシャッター部１１１へ送信する。メカシャッター部１１１は、受信した指示に従いシャッターを開放させる。これにより、撮像素子部１１２のイメージセンサは、被写体からの光Ｌ１０を受光する。
【０１０７】
ここで、光Ｌ１０は、照明５０からの照明光が照射される被写体が発する光を含む。すなわち、光Ｌ１０は、照明５０からの照明光を含む。つまり、光Ｌ１０は、照明光に重畳された情報が重畳された光である。
【０１０８】
撮像素子部１１２は、受光した光Ｌ１０をイメージセンサにより電気信号に変換し、当該電気信号をＡＤ変換部により前述した映像信号に変換する。
【０１０９】
当該映像信号は、動画像を構成する複数のピクチャの各々に対応するＲＡＷデータを示す信号である。当該動画像における１秒当たりのピクチャの数は、電子露光時間によって変化する。例えば、電子露光時間が、１／３０秒である場合、当該動画像における１秒当たりのピクチャの数は、３０枚となる。この場合、映像信号が示すＲＡＷデータは、１／３０秒毎に変化する。
【０１１０】
撮像素子部１１２は、映像信号を、画像処理部１２０および光パターン検出部１４１へ送信する。
【０１１１】
画像処理部１２０は、前述した画像処理Ｎを行う。これにより、輝度信号および色差信号が、ＥＶＦ１３１および表示部１３２へ送信される。ＥＶＦ１３１および表示部１３２の各々は、受信した輝度信号および色差信号に基づく画像を表示する。
【０１１２】
以下の照明対応処理は、静止画撮影モードまたは動画撮影モードが設定されている撮影装置１００において、画像処理部１２０および光パターン検出部１４１の各々が、撮像素子部１１２から、映像信号を受信しているときに行われる処理である。
【０１１３】
図８は、照明対応処理のフローチャートである。
【０１１４】
ステップＳ１１０では、情報検出処理が行われる。情報検出処理では、映像信号から、光Ｌ１０に重畳された情報を検出する処理が行われる。すなわち、照明５０が照射する照明光に重畳された情報を検出する処理が行われる。
【０１１５】
情報検出処理では、光パターン検出部１４１が、信号変換処理を行う。信号変換処理では、光パターン検出部１４１が、受信した映像信号が示す各ＲＡＷデータに対し、デモザイク処理を行う。これにより、光パターン検出部１４１は、各ＲＡＷデータに対応するＲＧＢデータを得る。
【０１１６】
そして、光パターン検出部１４１は、各ＲＧＢデータから、輝度信号および色差信号を得るための色変換処理を行うことにより、各ＲＧＢデータに対応する輝度信号および色差信号を得る。当該輝度信号は、各ＲＡＷデータに対応するピクチャを構成する複数の画素の輝度値を示す。すなわち、光パターン検出部１４１は、各ＲＡＷデータを用いて該ＲＡＷデータに対応するピクチャを構成する複数の画素の輝度値を算出する。
【０１１７】
そして、光パターン検出部１４１は、各輝度値から、照明光に重畳された情報を検出する。
【０１１８】
ここで、ＣＭＯＳイメージセンサを使用した、照明光に重畳された情報の検出方法について説明する。
【０１１９】
ここで、照明５０は、一例として、直管型蛍光灯であるとする。また、照明５０は、一例として、周期Ｔの交流電圧で動作するとする。すなわち、照明５０の低周波照明周期は、Ｔ／２秒である。また、撮像素子部１１２のイメージセンサは、ＣＭＯＳイメージセンサであるとする。
【０１２０】
ＣＭＯＳイメージセンサは、１画素単位でデータの読出しを行うことが可能な構成のため、１枚のピクチャにおいて、各画素からのデータの読出しタイミングが異なる。そこで、ＣＭＯＳイメージセンサを使用して直管型蛍光灯が照射する照明光の変化を検知するためには、電子露光時間を低周波照明周期と同じまたは低周波照明周期より短くするか、もしくは、電子露光時間を少なくとも低周波照明周期の２倍以上にする必要がある。電子露光時間が低周波照明周期と同じまたは低周波照明周期より短い場合は、前述のＣＣＤイメージセンサと同様に、フィールド、もしくはフレーム単位で明暗差が生じる。
【０１２１】
ここでは、電子露光時間を、少なくとも低周波照明周期の２倍以上にする場合について説明する。説明を簡単にするために、電子露光時間は、低周波照明周期Ｔ／２秒の４倍の２Ｔ秒であるとする。
【０１２２】
この場合、光パターン検出部１４１が情報検出処理において得られた輝度信号が示す１枚のピクチャは、以下のピクチャＰ１００のようになる。
【０１２３】
図９は、一例としてのピクチャＰ１００を示す図である。なお、ピクチャＰ１００には、実際には被写体の画像も表示されるが、説明のために被写体の画像は示していない。
【０１２４】
図９において、ピクチャＰ１００の右側には、当該ピクチャＰ１００の垂直方向を時間とした場合の、周期がＴ／２秒の照明光の光量の変化を示す。
【０１２５】
ここで、光パターン検出部１４１は、ピクチャＰ１００において、照明光の光量が所定値以上である部分に対応する領域を判定領域に設定する。判定領域は、情報を検出するための領域である。
【０１２６】
電子露光時間が、低周波照明周期のｋ（２以上の整数）倍である場合、ピクチャＰ１００には、ｋ個の判定領域が設定される。ｋ個の判定領域において、垂直方向に各隣合う２つの判定領域の間隔は、一定である。
【０１２７】
例えば、ｋが４の場合、ピクチャＰ１００には、図９のように、判定領域Ｒ１０．１，１０．２，１０．３，１０．４が設定される。以下においては、判定領域Ｒ１０．１，１０．２，１０．３，１０．４の各々を、単に、判定領域Ｒ１０とも表記する。
【０１２８】
なお、電子露光時間が、例えば、低周波照明周期の８倍である場合、ピクチャＰ１００には、８個の判定領域が設定される。
【０１２９】
ここで、ピクチャＰ１００は、照明光に情報が重畳されていない場合のピクチャであるとする。
【０１３０】
この場合、各判定領域Ｒ１０は、高輝度領域である。ここで、高輝度領域は、当該判定領域Ｒ１０内の複数の画素の輝度値の平均値が、所定の判定閾値以上である領域である。すなわち、高輝度領域は、明るい領域である。ここで、判定閾値とは、情報を検出するための閾値である。
【０１３１】
以下においては、判定領域内の複数の画素の輝度値の平均が判定閾値未満である当該判定領域を、低輝度領域という。
【０１３２】
照明光に情報が重畳されている場合、ピクチャＰ１００内の各判定領域Ｒ１０は、高輝度領域または低輝度領域である。この場合、ピクチャＰ１００は、ある明暗パターンを示す。
【０１３３】
ここで、高輝度領域を“０”と定義し、低輝度領域を“１”と定義したとする。この場合、光パターン検出部１４１は、ピクチャＰ１００内の各判定領域Ｒ１０内の複数の画素の輝度値の平均値が、判定閾値以上であるか否かを判定することにより“０”、“１”を検出する。すなわち、光パターン検出部１４１は、ピクチャＰ１００の少なくとも２つ以上のライン単位で、照明光に重畳された情報を検出する。
【０１３４】
つまり、光パターン検出部１４１は、ピクチャＰ１００に対応する複数の輝度値の状態を、明暗パターンとして検出することにより、照明光に重畳された情報を検出する。当該各輝度値は、映像信号から得られた値である。つまり、光パターン検出部１４１は、映像信号から明暗パターンを検出することにより、照明光に重畳された情報を検出する。
【０１３５】
ここで、照明光に、例えば、指示情報としての指示コード“１０００”が重畳されていたとする。この場合、ピクチャＰ１００における判定領域Ｒ１０．１，１０．２，１０．３，１０．４は、それぞれ、低輝度領域、高輝度領域、高輝度領域および高輝度領域となる。
【０１３６】
この場合、光パターン検出部１４１は、ピクチャＰ１００内の各判定領域Ｒ１０内の複数の画素の輝度値の平均値が、判定閾値より高いか否かを判定することにより、指示コード“１０００”を検出する。
【０１３７】
以上のような方法により、光パターン検出部１４１は、映像信号から明暗パターンを検出することにより、照明光に重畳された情報を検出する。なお、上記説明では、１枚のピクチャから情報を検出する例を説明したが、照明光に重畳された情報が多い場合、複数のピクチャから情報が検出される場合もある。
【０１３８】
なお、情報を検出するための値は、判定領域Ｒ１０内の複数の画素の輝度値の平均値に限定されず、判定領域Ｒ１０内の複数の画素の輝度値の分散値であってもよい。また、情報の検出方法は上記方法に限定されない。例えば、所定時間において、低輝度領域の部分が発生した数を算出することにより、情報を検出してもよい。
【０１３９】
次に、ＣＣＤイメージセンサを使用した、照明光に重畳された情報の検出方法の他の例について説明する。
【０１４０】
ここで、照明５０は、一例として、直管型蛍光灯であるとする。また、照明５０は、一例として、周期Ｔの交流電圧で動作するとする。すなわち、照明５０の低周波照明周期は、Ｔ／２秒である。また、撮像素子部１１２のイメージセンサは、ＣＣＤイメージセンサであるとする。
【０１４１】
ＣＣＤイメージセンサは、１枚のピクチャ単位でデータの読出しを行う構成のため、１枚のピクチャにおける各画素の露光時間（電子露光時間）はほぼ同じである。そのため、映像信号から情報を検出するためには、複数のピクチャが必要である。
【０１４２】
そこで、ＣＣＤイメージセンサを使用して直管型蛍光灯が照射する照明光の変化を検知するためには、電子露光時間を、少なくとも低周波照明周期の１／２以下にする必要がある。ここでは、説明を簡単にするために、電子露光時間は、低周波照明周期Ｔ／２秒の１／４倍のＴ／８秒であるとする。
【０１４３】
この場合、光パターン検出部１４１が情報検出処理において得られた輝度信号が示す複数のピクチャは、図１０に示すようになる。
【０１４４】
図１０は、複数のピクチャを利用して、照明光に重畳された情報の検出方法を説明するための図である。
【０１４５】
図１０（ａ）は、周期がＴ／２秒の照明光の光量の変化を示す図である。
【０１４６】
図１０（ｂ）は、情報検出処理において得られた輝度信号が示す複数のピクチャの一部を示す図である。当該複数のピクチャの一部は、ピクチャＰ１１，Ｐ１２，Ｐ１３，Ｐ１４，Ｐ１５である。なお、ピクチャＰ１１〜Ｐ１５の各々には、実際には被写体の画像も表示されるが、説明のために被写体の画像は示していない。
【０１４７】
ピクチャＰ１１，Ｐ１２，Ｐ１３，Ｐ１４，Ｐ１５は、ピクチャＰ１１〜Ｐ１５の順で生成される。すなわち、ピクチャＰ１５は、ピクチャＰ１１よりも後に生成されるピクチャである。
【０１４８】
ピクチャＰ１１，Ｐ１２，Ｐ１３，Ｐ１４，Ｐ１５の各々は、図１０（ａ）の時間軸と対応する。
【０１４９】
ここで、光パターン検出部１４１は、ピクチャＰ１１，Ｐ１２，Ｐ１３，Ｐ１４，Ｐ１５において、照明光の光量が所定値以上である部分に対応するピクチャを判定ピクチャに設定する。判定ピクチャは、情報を検出するためのピクチャである。ここで、図１０（ｂ）のピクチャＰ１１，Ｐ１２，Ｐ１３，Ｐ１４，Ｐ１５は、照明光に情報が重畳されていない場合のピクチャであるとする。
【０１５０】
ここでは、一例として、奇数番目のピクチャが、判定ピクチャに設定されたとする。すなわち、一例として、ピクチャＰ１１，Ｐ１３，Ｐ１５が判定ピクチャに設定されたとする。
【０１５１】
この場合、各ピクチャＰ１１，Ｐ１３，Ｐ１５は、高輝度ピクチャである。ここで、高輝度ピクチャは、当該判定ピクチャを構成する複数の画素の輝度値の平均値が、所定の判定閾値Ｐ以上である領域である。すなわち、高輝度ピクチャは、全体的に明るいピクチャである。ここで、判定閾値Ｐとは、情報を検出するための閾値である。
【０１５２】
以下においては、判定ピクチャを構成する複数の画素の輝度値の平均が判定閾値Ｐ未満である当該判定ピクチャを、低輝度ピクチャという。
【０１５３】
図１０（ｃ）は、照明光に情報が重畳されている場合の各ピクチャを示す図である。
【０１５４】
照明光に情報が重畳されている場合、各判定ピクチャは、高輝度ピクチャまたは低輝度ピクチャである。この場合、複数の判定ピクチャは、ある明暗パターンを示す。
【０１５５】
ここで、高輝度ピクチャを“０”と定義し、低輝度ピクチャを“１”と定義したとする。この場合、光パターン検出部１４１は、各判定ピクチャを構成する複数の画素の輝度値の平均値が、判定閾値Ｐ以上であるか否かを判定することにより“０”、“１”を検出する。
【０１５６】
すなわち、光パターン検出部１４１は、複数のピクチャの各々に対応する各輝度値の状態を明暗パターンとして検出することにより、照明光に重畳された情報を検出する。当該各輝度値は、映像信号から得られた値である。つまり、光パターン検出部１４１は、映像信号から明暗パターンを検出することにより、照明光に重畳された情報を検出する。
【０１５７】
ここで、照明光に、例えば、指示情報としての指示コード“１００”が重畳されていたとする。この場合、判定ピクチャとしてのピクチャＰ１１，Ｐ１３，Ｐ１５は、それぞれ、低輝度ピクチャ、高輝度ピクチャおよび高輝度ピクチャとなる。
【０１５８】
この場合、光パターン検出部１４１は、各判定ピクチャ（例えば、ピクチャＰ１１）を構成する複数の画素の輝度値の平均値が、判定閾値Ｐより高いか否かを判定することにより、指示コード“１００”を検出する。
【０１５９】
なお、各ピクチャがインタレース方式で処理される場合、各ピクチャは、奇数フィールドまたは偶数フィールドである。そのため、フィールド単位で、照明光に重畳された情報が検出される。この場合、低周波照明周期は、映像信号における各フィールドの周期よりも長い。すなわち、この場合、映像信号における各フィールドの周期を、低周波照明周期より短くすることで、照明光に重畳された情報を検出することができる。
【０１６０】
また、各ピクチャがプログレッシブ方式で処理される場合、フレーム単位で、照明光に重畳された情報が検出される。この場合、低周波照明周期は、映像信号における各フレームの周期よりも長い。すなわち、この場合、映像信号における各フレームの周期を、低周波照明周期より短くすることで、照明光に重畳された情報を検出することができる。
【０１６１】
以上のような方法により、光パターン検出部１４１は、映像信号から明暗パターンを検出することにより、照明光に重畳された情報を検出する。
【０１６２】
なお、情報を検出するための値は、各判定ピクチャを構成する複数の画素の輝度値の平均値に限定されず、例えば、各判定ピクチャを構成する複数の画素の輝度値の分散値であってもよい。
【０１６３】
また、情報の検出方法は上記方法に限定されない。例えば、所定時間において表れる低輝度ピクチャの数を算出することにより、情報を検出してもよい。
【０１６４】
以上の方法により、ＣＭＯＳイメージセンサまたはＣＣＤイメージセンサを使用して、照明光に重畳された情報が検出される。
【０１６５】
図８のステップＳ１１０の情報検出処理では、光パターン検出部１４１が、前述した方法により、照明光に重畳された指示情報としての全ての指示コードを検出する。そして、光パターン検出部１４１は、検出した全ての指示コードを、比較部１４２へ送信する。
【０１６６】
そして、処理はステップＳ１２０に移行する。
【０１６７】
ステップＳ１２０では、撮影を禁止するための撮影禁止指示があるか否かが判定される。具体的には、比較部１４２が、受信した全ての指示コード（指示情報）のいずれかが、図５の判定情報テーブルＴ１００に示される「撮影禁止」の指示に対応する判定コードと一致するか否かを判定する。すなわち、比較部１４２は、指示情報としての全ての指示コードと、判定情報としての判定コードとを比較することにより、検出情報と判定情報とが一致するか否かを判定する。つまり、ステップＳ１２０の処理は、比較部１４２が、ステップＳ１１０の処理により検出された情報である検出情報と予め定められた判定情報とを比較する処理である。
【０１６８】
「撮影禁止」の指示に対応する判定コードは、撮影を禁止するための指示を示す。比較部１４２による判定結果は、処理部１５０に通知される。
【０１６９】
ステップＳ１２０において、ＮＯならば、処理はステップＳ２００に移行する。一方、ステップＳ１２０において、ＹＥＳならば、処理は後述のステップＳ１３０に移行する。
【０１７０】
撮影禁止指示がある場合は、後述の静止画撮影禁止指示および動画撮影禁止指示の両方がある。一方、撮影禁止指示がない場合は、後述の静止画撮影禁止指示および動画撮影禁止指示の少なくとも一方がある場合がある。
【０１７１】
ステップＳ２００では、撮像補助制御処理が行われる。
【０１７２】
図１１は、撮像補助制御処理のフローチャートである。
【０１７３】
ステップＳ２１０では、フラッシュ光の発光を禁止するためのフラッシュ光禁止指示があるか否かが判定される。具体的には、比較部１４２が、受信した全ての指示コード（指示情報）のいずれかが、判定情報テーブルＴ１００に示される「フラッシュ光禁止」の指示に対応する判定コードと一致するか否かを判定する。「フラッシュ光禁止」の指示に対応する判定コードは、撮影時におけるフラッシュ光の発光を禁止するための指示を示す。比較部１４２による判定結果は、処理部１５０に通知される。
【０１７４】
ステップＳ２１０において、ＹＥＳならば、処理はステップＳ２１１に移行する。一方、ステップＳ２１０において、ＮＯならば、処理は後述のステップＳ２２０に移行する。
【０１７５】
ステップＳ２１１では、発光制御部１５２が、撮影時におけるフラッシュ光の発光をオフにするようフラッシュ発光部１７１を制御する。具体的には、撮影装置１００の動作モードとして、フラッシュ光の発光が許可されない発光禁止モードを設定する。これにより、フラッシュ発光部１７１は、撮影時において、フラッシュ光の発光を行わない。
【０１７６】
ステップＳ２１２では、フラッシュ撮影禁止報知処理が行われる。フラッシュ撮影禁止報知処理では、画像生成部１５３が、フラッシュ光の発光が禁止されている旨のメッセージを示す特定画像Ａを生成する。当該メッセージは、例えば、「フラッシュ光を利用した撮影は禁止されています」というメッセージである。
【０１７７】
画像生成部１５３は、生成した特定画像Ａを、表示部１３２へ送信する。表示部１３２は、受信した特定画像Ａを表示する。なお、特定画像Ａは、ＥＶＦ１３１が表示してもよい。
【０１７８】
なお、特定画像（例えば、特定画像Ａ）は、表示部１３２が表示中の画像に重畳して表示されてもよい。
【０１７９】
ステップＳ２２０では、撮影時における補助光の発光をオフにするための補助光オフ指示があるか否かが判定される。具体的には、比較部１４２が、受信した全ての指示コード（指示情報）のいずれかが、判定情報テーブルＴ１００に示される「補助光オフ」の指示に対応する判定コードと一致するか否かを判定する。「補助光オフ」の指示に対応する判定コードは、撮影時における補助光の発光をオフにするための指示を示す。比較部１４２による判定結果は、処理部１５０に通知される。
【０１８０】
ステップＳ２２０において、ＹＥＳならば、処理はステップＳ２２１に移行する。一方、ステップＳ２２０において、ＮＯならば、処理は後述のステップＳ２３０に移行する。
【０１８１】
ステップＳ２２１では、補助光制御部１５４が、補助光部１７２に、補助光をオフにさせる指示を送信する。補助光部１７２は、当該指示を受信することにより、補助光の発光をオフにする。すなわち、補助光制御部１５４は、撮影時における補助光の発光をオフにするよう補助光部１７２を制御する。
【０１８２】
ステップＳ２２２では、補助光オフ報知処理が行われる。補助光オフ報知処理では、画像生成部１５３が、補助光の発光がオフにされた旨のメッセージを示す特定画像Ｂを生成する。当該メッセージは、例えば「補助光の発光がオフにされました」というメッセージである。画像生成部１５３は、生成した特定画像Ｂを、表示部１３２へ送信する。表示部１３２は、受信した特定画像Ｂを表示する。なお、特定画像Ｂは、ＥＶＦ１３１が表示してもよい。
【０１８３】
ステップＳ２３０では、撮影時におけるＩＳＯ感度を増加させるためのＩＳＯ感度増加指示があるか否かが判定される。具体的には、比較部１４２が、受信した全ての指示コード（指示情報）のいずれかが、判定情報テーブルＴ１００に示される「ＩＳＯ感度増加」の指示に対応する判定コードと一致するか否かを判定する。「ＩＳＯ感度増加」の指示に対応する判定コードは、撮影時におけるＩＳＯ感度を増加させるための指示を示す。比較部１４２による判定結果は、処理部１５０に通知される。
【０１８４】
ステップＳ２３０において、ＹＥＳならば、処理はステップＳ２３１に移行する。一方、ステップＳ２３０において、ＮＯならば、この撮像補助制御処理は終了し、照明対応処理に戻り、処理はステップＳ３００に移行する。
【０１８５】
ＩＳＯ感度増加指示は、例えば、フラッシュ光禁止指示等があった場合において光量不足を補うための指示である。
【０１８６】
ステップＳ２３１では、ＩＳＯ感度増加処理が行われる。ＩＳＯ感度増加処理では、ＩＳＯ感度変更部１６１は、撮像素子部１１２における露光時間を、現時点で設定されている露光時間より長くするように撮像素子部１１２を制御する。
【０１８７】
もしくは、ＩＳＯ感度変更部１６１が、ＡＤ変換時のゲインをあげるように、撮像素子部１１２を制御する。また、さらには画像処理Ｎでのガンマ補正やゲイン補正において、ゲインをあげるようにＩＳＯ感度変更部１６１が画像処理部１２０を制御してもよい。
【０１８８】
すなわち、ＩＳＯ感度変更部１６１は、撮影時におけるＩＳＯ感度を増加させる制御を行う。
【０１８９】
これにより、光Ｌ１０の光量が不足していても、良好な撮影をすることができる。
【０１９０】
なお、ＩＳＯ感度増加指示の代わりに、ＩＳＯ感度を低下させるための指示があった場合、当該指示に従って、ＩＳＯ感度変更部１６１は、撮影装置１００の撮影時のＩＳＯ感度を低下させる制御を行ってもよい。
【０１９１】
ステップＳ２３２では、ＩＳＯ感度増加報知処理が行われる。ＩＳＯ感度増加報知処理では、画像生成部１５３が、ＩＳＯ感度が増加された旨のメッセージを示す特定画像Ｃを生成する。当該メッセージは、例えば「ＩＳＯ感度が増加されました」というメッセージである。
【０１９２】
画像生成部１５３は、生成した特定画像Ｃを、表示部１３２へ送信する。表示部１３２は、受信した特定画像Ｃを表示する。なお、特定画像Ｃは、ＥＶＦ１３１が表示してもよい。
【０１９３】
なお、指示コードは、映像信号または輝度信号の補正を行う指示を示してもよい。この場合、フリッカによる輝度信号変化による影響をなくすことができる。
【０１９４】
そして、この撮像補助制御処理は終了し、図８の照明対応処理に戻り、処理はステップＳ３００に移行する。
【０１９５】
ステップＳ３００では、モード切替制御処理が行われる。
【０１９６】
図１２は、モード切替制御処理のフローチャートである。
【０１９７】
ステップＳ３１０では、モード設定部１５５が、撮影装置１００の動作モードとして、静止画撮影モードが設定されているか否かを判定する。ステップＳ３１０において、ＹＥＳならば、処理はステップＳ３２０に移行する。一方、ステップＳ３１０において、ＮＯならば、処理は後述のステップＳ３４０に移行する。
【０１９８】
ステップＳ３２０では、静止画の撮影を禁止するための静止画撮影禁止指示があるか否かが判定される。具体的には、比較部１４２が、受信した全ての指示コード（指示情報）のいずれかが、判定情報テーブルＴ１００に示される「静止画撮影禁止」の指示に対応する判定コードと一致するか否かを判定する。「静止画撮影禁止」の指示に対応する判定コードは、静止画の撮影を禁止するための指示を示す。比較部１４２による判定結果は、処理部１５０に通知される。
【０１９９】
ステップＳ３２０において、ＹＥＳならば、処理はステップＳ３２１に移行する。一方、ステップＳ３２０において、ＮＯならば、処理は後述のステップＳ３６０に移行する。
【０２００】
ステップＳ３２１では、モード設定部１５５が、撮影装置１００の動作モードとして、静止画の撮影が許可されない静止画撮影禁止モードを設定する。この場合、静止画撮影モードの設定は解除される。これにより、撮影装置１００は、静止画の撮影が許可されない。
【０２０１】
ステップＳ３２２では、静止画撮影禁止報知処理が行われる。静止画撮影禁止報知処理では、画像生成部１５３が、静止画撮影が禁止されている旨のメッセージおよび動画撮影モードを設定するか否かを促すメッセージを示す以下の特定画像Ｇ１００を生成する。画像生成部１５３は、生成した特定画像Ｇ１００を、表示部１３２へ送信する。表示部１３２は、受信した特定画像Ｇ１００を表示する。
【０２０２】
図１３は、一例としての特定画像Ｇ１００を示す図である。特定画像Ｇ１００は、静止画撮影が禁止されている旨のメッセージを示す。また、特定画像Ｇ１００は、撮影装置１００の動作モードとして、動画を撮影するための動画撮影モードを設定するか否かを促すメッセージを示す。
【０２０３】
再び、図１２を参照して、ステップＳ３３０では、操作判定部１５６が、動画撮影設定操作があったか否かを判定する。動画撮影設定操作とは、撮影装置１００の動作モードとして、動画撮影モードを設定するための操作Ｕである。操作部１７０は、動画撮影設定操作を受付けた場合、当該動画撮影設定操作を示す操作情報を、処理部１５０へ送信する。これにより、操作判定部１５６は、動画撮影設定操作があったか否かを判定する。
【０２０４】
ステップＳ３３０において、ＹＥＳならば、処理はステップＳ３３１に移行する。一方、ステップＳ３３０において、ＮＯならば、処理は後述のステップＳ１３０に移行する。
【０２０５】
ステップＳ３３１では、モード設定部１５５が、撮影装置１００の動作モードとして、動画撮影モードを設定する。この場合、静止画撮影モードの設定は解除される。動画撮影モードが設定されると、メカシャッター部１１１、撮像素子部１１２および画像処理部１２０の各々の動作が、動画撮影を行うための動作となる。
【０２０６】
ステップＳ３４０では、動画の撮影を禁止するための動画撮影禁止指示があるか否かが判定される。具体的には、比較部１４２が、受信した全ての指示コード（指示情報）のいずれかが、判定情報テーブルＴ１００に示される「動画撮影禁止」の指示に対応する判定コードと一致するか否かを判定する。「動画撮影禁止」の指示に対応する判定コードは、動画の撮影を禁止するための指示を示す。比較部１４２による判定結果は、処理部１５０に通知される。
【０２０７】
ステップＳ３４０において、ＹＥＳならば、処理はステップＳ３４１に移行する。一方、ステップＳ３４０において、ＮＯならば、処理は後述のステップＳ３６０に移行する。
【０２０８】
ステップＳ３４１では、モード設定部１５５が、撮影装置１００の動作モードとして、動画の撮影が許可されない動画画撮影禁止モードを設定する。この場合、動画撮影モードの設定は解除される。これにより、撮影装置１００は、動画の撮影が許可されない。
【０２０９】
ステップＳ３４２では、動画撮影禁止報知処理が行われる。動画撮影禁止報知処理では、画像生成部１５３が、動画撮影が禁止されている旨のメッセージおよび静止画撮影モードを設定するか否かを促すメッセージを示す以下の特定画像Ｇ２００を生成する。画像生成部１５３は、生成した特定画像Ｇ２００を、表示部１３２へ送信する。表示部１３２は、受信した特定画像Ｇ２００を表示する。
【０２１０】
図１４は、一例としての特定画像Ｇ２００を示す図である。特定画像Ｇ２００は、動画撮影が禁止されている旨のメッセージを示す。また、特定画像Ｇ２００は、撮影装置１００の動作モードとして、静止画を撮影するための静止画撮影モードを設定するか否かを促すメッセージを示す。
【０２１１】
再び、図１２を参照して、ステップＳ３５０では、操作判定部１５６が、静止画撮影設定操作があったか否かを判定する。静止画撮影設定操作とは、撮影装置１００の動作モードとして、静止画撮影モードを設定するための操作Ｕである。操作部１７０は、静止画撮影設定操作を受付けた場合、当該静止画撮影設定操作を示す操作情報を、処理部１５０へ送信する。これにより、操作判定部１５６は、静止画撮影設定操作があったか否かを判定する。
【０２１２】
ステップＳ３５０において、ＹＥＳならば、処理はステップＳ３５１に移行する。一方、ステップＳ３５０において、ＮＯならば、このモード切替制御処理は終了し、図８の照明対応処理に戻り、処理は後述のステップＳ１３０に移行する。
【０２１３】
ステップＳ３５１では、モード設定部１５５が、撮影装置１００の動作モードとして、静止画撮影モードを設定する。この場合、動画撮影モードの設定は解除される。静止画撮影モードが設定されると、メカシャッター部１１１、撮像素子部１１２および画像処理部１２０の各々の動作が、静止画撮影を行うための動作となる。
【０２１４】
そして、再度、ステップＳ３１０の処理が行われる。
【０２１５】
ステップＳ３２０において、ＮＯならば、処理はステップＳ３６０に移行する。
【０２１６】
なお、前述したように、静止画撮影禁止指示および動画撮影禁止指示がある場合、撮影禁止指示がある。そのため、この場合、ステップＳ１２０でＹＥＳと判定され処理はステップＳ１３０へ移行する。そのため、モード切替制御処理において、ステップＳ３２１，Ｓ３４１の処理が永久に繰り返される状態は発生しない。
【０２１７】
ステップＳ３６０では、シャッター音の出力を禁止するためのシャッター音禁止指示があるか否かが判定される。具体的には、比較部１４２が、受信した全ての指示コード（指示情報）のいずれかが、判定情報テーブルＴ１００に示される「シャッター音禁止」の指示に対応する判定コードと一致するか否かを判定する。「シャッター音禁止」の指示に対応する判定コードは、シャッター音の出力を禁止するための指示を示す。比較部１４２による判定結果は、処理部１５０に通知される。
【０２１８】
ステップＳ３６０において、ＹＥＳならば、処理はステップＳ３６１に移行する。一方、ステップＳ３６０において、ＮＯならば、処理は後述のステップＳ３７０に移行する。
【０２１９】
ステップＳ３６１では、シャッター音オフ処理が行われる。シャッター音オフ処理では、シャッター音制御部１５７が、スピーカー１８１からシャッター音を出力させないための処理を行う。当該処理は、例えば、スピーカー１８１へ送信されるシャッター音の音量を０にするという処理である。なお、スピーカー１８１のパワーダウンといった無音化のための処理が行われてもよい。すなわち、シャッター音制御部１５７は、スピーカー１８１にシャッター音としての音声を出力させないよう制御する。
【０２２０】
ステップＳ３６２では、シャッター音禁止報知処理が行われる。シャッター音禁止報知処理では、画像生成部１５３が、シャッター音の出力が禁止されている旨のメッセージを示す特定画像Ｄを生成する。当該メッセージは、例えば、「シャッター音の出力が禁止されています」というメッセージである。画像生成部１５３は、生成した特定画像Ｄを、表示部１３２へ送信する。表示部１３２は、受信した特定画像Ｄを表示する。なお、特定画像Ｄは、ＥＶＦ１３１が表示してもよい。
【０２２１】
ステップＳ３７０では、メカシャッターを開放するためのメカシャッター開放指示があるか否かが判定される。具体的には、比較部１４２が、受信した全ての指示コード（指示情報）のいずれかが、判定情報テーブルＴ１００に示される「メカシャッター開放」の指示に対応する判定コードと一致するか否かを判定する。「メカシャッター開放」の指示に対応する判定コードは、メカシャッターを開放するための指示を示す。比較部１４２による判定結果は、処理部１５０に通知される。
【０２２２】
ステップＳ３７０において、ＹＥＳならば、処理はステップＳ３７１に移行する。一方、ステップＳ３７０において、ＮＯならば、このモード切替制御処理は終了し、図８の照明対応処理に戻り、処理はステップＳ４００に移行する。
【０２２３】
ステップＳ３７１では、メカシャッター制御部１５８が、メカシャッターを開放させるようメカシャッター部１１１を制御する。なお、この場合、メカシャッターの開放により生じる被写体ぶれ、または、適正露光を制御するために、撮像素子部１１２での電子シャッターの制御も行われる。
【０２２４】
ステップＳ３７２では、メカシャッター開放報知処理が行われる。メカシャッター開放報知処理では、画像生成部１５３が、メカシャッターが開放されている旨のメッセージを示す特定画像Ｅを生成する。当該メッセージは、例えば、「メカシャッターが開放されています」というメッセージである。画像生成部１５３は、生成した特定画像Ｅを、表示部１３２へ送信する。表示部１３２は、受信した特定画像Ｅを表示する。なお、特定画像Ｅは、ＥＶＦ１３１が表示してもよい。
【０２２５】
そして、このモード切替制御処理は終了し、図８の照明対応処理に戻り、処理はステップＳ４００に移行する。
【０２２６】
ステップＳ４００では、表示制御処理が行われる。
【０２２７】
図１５は、表示制御処理のフローチャートである。
【０２２８】
ステップＳ４１０では、画像表示をオフするための画像表示オフ指示があるか否かが判定される。具体的には、比較部１４２が、受信した全ての指示コード（指示情報）のいずれかが、判定情報テーブルＴ１００に示される「画像表示オフ」の指示に対応する判定コードと一致するか否かを判定する。「画像表示オフ」の指示に対応する判定コードは、画像の表示を行わないようにする指示を示す。比較部１４２による判定結果は、処理部１５０に通知される。
【０２２９】
ステップＳ４１０において、ＹＥＳならば、処理はステップＳ４１１に移行する。一方、ステップＳ４１０において、ＮＯならば、処理はステップＳ４２０に移行する。
【０２３０】
ステップＳ４１１では、画像表示オフ報知処理が行われる。画像表示オフ報知処理では、画像生成部１５３が、画像を非表示にする旨のメッセージを示す特定画像Ｆを生成する。当該メッセージは、例えば「画像表示をオフにします」というメッセージである。画像生成部１５３は、生成した特定画像Ｆを、表示部１３２へ送信する。表示部１３２は、受信した特定画像Ｆを表示する。なお、特定画像Ｆは、ＥＶＦ１３１が表示してもよい。
【０２３１】
ステップＳ４１２では、画像表示オフ処理が行われる。画像表示オフ処理では、表示制御部１５９が、輝度信号および色差信号をＥＶＦ１３１および表示部１３２の各々へ送信しないよう画像処理部１２０を制御する。これにより、ＥＶＦ１３１および表示部１３２の各々は、画像の表示を行わない。なお、上記処理の代わりに、例えば、輝度信号が示す輝度値を０にする処理、ＥＶＦ１３１および表示部１３２へ供給される電力をオフにする処理が行われてもよい。
【０２３２】
ステップＳ４２０では、ＥＶＦ切替え指示があるか否かが判定される。具体的には、比較部１４２が、受信した全ての指示コード（指示情報）のいずれかが、判定情報テーブルＴ１００に示される「ＥＶＦ切替え」の指示に対応する判定コードと一致するか否かを判定する。「ＥＶＦ切替え」の指示に対応する判定コードは、画像を表示する対象を、表示部１３２からＥＶＦ１３１へ切替えるための指示を示す。比較部１４２による判定結果は、処理部１５０に通知される。
【０２３３】
ステップＳ４２０において、ＹＥＳならば、処理はステップＳ４２１へ移行する。一方、ステップＳ４２０において、ＮＯならば、処理は後述のステップＳ４３０へ移行する。
【０２３４】
ステップＳ４２１では、ＥＶＦ切替え報知処理が行われる。ＥＶＦ切替え報知処理では、画像生成部１５３が、画像を表示する対象を、ＥＶＦへ切替える旨のメッセージを示す特定画像Ｇを生成する。当該メッセージは、例えば「画像を表示する対象を、メインの表示装置からＥＶＦへ切替えます」というメッセージである。画像生成部１５３は、生成した特定画像Ｇを、表示部１３２へ送信する。表示部１３２は、受信した特定画像Ｇを表示する。なお、特定画像Ｇは、ＥＶＦ１３１が表示してもよい。
【０２３５】
ステップＳ４２２では、ＥＶＦ切替え処理が行われる。ＥＶＦ切替え処理では、表示制御部１５９が、輝度信号および色差信号を、表示部１３２へ送信せず、ＥＶＦ１３１のみへ送信するよう画像処理部１２０を制御する。これにより、表示部１３２は画像の表示を行わないようになり、ＥＶＦ１３１のみが画像を表示する。また、表示制御部１５９が、表示部１３２へ電力を供給する図示しない電源に対し、表示部１３２へ電力を供給しないように制御する。
【０２３６】
これにより、周囲への明かり漏れを最小限に減らすことができる。
【０２３７】
ここで、撮影装置１００は、ＥＶＦ１３１の代わりにＯＶＦ（Optical View Finder）を備えていてもよい。この場合、ＯＶＦでの被写体確認を可能とするために、ＯＶＦが使用可能な状態にメカシャッター部１１１を制御し、表示部１３２へ電力が供給されないようにしてもよい。
【０２３８】
ステップＳ４３０では、画像の輝度を下げるための輝度低減指示があるか否かが判定される。具体的には、比較部１４２が、受信した全ての指示コード（指示情報）のいずれかが、判定情報テーブルＴ１００に示される「輝度低減」の指示に対応する判定コードと一致するか否かを判定する。「輝度低減」の指示に対応する判定コードは、画像の輝度を下げる指示を示す。比較部１４２による判定結果は、処理部１５０に通知される。
【０２３９】
ステップＳ４３０において、ＹＥＳならば、処理はステップＳ４３１へ移行する。一方、ステップＳ４３０において、ＮＯならば、処理は後述のステップＳ４４０へ移行する。
【０２４０】
ステップＳ４３１では、輝度低減報知処理が行われる。輝度低減報知処理では、画像生成部１５３が、画像の輝度を低減する旨のメッセージを示す特定画像Ｈを生成する。当該メッセージは、例えば「画像の輝度を低減します」というメッセージである。画像生成部１５３は、生成した特定画像Ｈを、表示部１３２へ送信する。表示部１３２は、受信した特定画像Ｈを表示する。なお、特定画像Ｈは、ＥＶＦ１３１が表示してもよい。
【０２４１】
ステップＳ４３２では、表示輝度低減処理が行われる。表示輝度低減処理では、表示制御部１５９が、輝度信号が示す各輝度値を所定の割合（例えば、３０％）だけ低減させるよう、画像処理部１２０を制御する。すなわち、表示制御部１５９は、表示部１３２および前記ＥＶＦ１３１の少なくとも一方の表示中の画像の輝度を下げさせる制御を行う。
【０２４２】
これにより、表示部１３２およびＥＶＦ１３１の各々が表示する画像の輝度が低下する。なお、上記処理に限定されず、例えば、表示部１３２およびＥＶＦ１３１の各々のバックライトの光量を減少させる処理が行われてもよい。
【０２４３】
ステップＳ４４０では、操作判定部１５６が、ステータス表示操作があったか否かを判定する。ステータス表示操作とは、撮影装置１００の動作状態を報知するための操作Ｕである。操作部１７０は、ステータス表示操作を受付けた場合、当該ステータス表示操作を示す操作情報を、処理部１５０へ送信する。これにより、操作判定部１５６は、ステータス表示操作があったか否かを判定する。
【０２４４】
ステップＳ４４０において、ＹＥＳならば、処理はステップＳ４４１に移行する。ステータス表示操作が行われる場合は、例えば、ステップＳ４１２の処理が行われることにより、ＥＶＦ１３１および表示部１３２の各々が画像の表示を行わないようになった場合である。一方、ステップＳ４４０において、ＮＯならば、この表示制御処理は終了し、図８の照明対応処理に戻り、処理はステップＳ５１０に移行する。
【０２４５】
ステップＳ４４１では、ステータス表示処理が行われる。ステータス表示処理では、ステータス報知制御部１６０が、ステータス報知部１８２に撮影装置１００の動作状態に対応する所定の周期でステータス光を点滅させる制御を行う。
【０２４６】
すなわち、ステータス報知部１８２は、発光素子を使用して、所定の周期でステータス光を点滅させることにより、撮影装置１００の動作状態をユーザーに報知する。なお、ステータス報知部１８２が、所定の周期でステータス光を点滅させる処理は、例えば、当該処理を中断するための操作Ｕが行われるまで継続される。
【０２４７】
撮影装置１００の動作状態は、例えば、露光中の状態、記録媒体にデータを記録している状態である。記録媒体にデータを記録している状態の場合、当該所定の周期は、例えば、０．１秒である。露光中の状態の場合、当該所定の周期は、例えば、１００秒である。この場合、ステータス報知部１８２の発光素子は、ほぼ、点灯し続けていることになる。
【０２４８】
そして、この表示制御処理は終了し、図８の照明対応処理に戻り、処理はステップＳ５１０に移行する。
【０２４９】
ステップＳ１２０でＹＥＳの場合、ステップＳ３３０でＮＯの場合、または、ステップＳ３５０でＮＯの場合、処理はステップＳ１３０に移行する。
【０２５０】
ステップＳ１３０では、撮影禁止モード設定処理が行われる。撮影禁止モード設定処理では、モード設定部１５５が、撮影装置１００の動作モードとして、撮影が許可されない撮影禁止モードを設定する。撮影禁止モードが設定されると、撮影するために使用される、メカシャッター部１１１、撮像素子部１１２、画像処理部１２０等の動作が停止される。これにより、撮影装置１００は、撮影のための動作ができなくなる。
【０２５１】
ステップＳ１３１では、撮影禁止報知処理が行われる。撮影禁止報知処理では、画像生成部１５３が、撮影が禁止されている旨のメッセージを示す特定画像Ｊを生成する。当該メッセージは、例えば「この場所では、撮影は禁止されています」というメッセージである。画像生成部１５３は、生成した特定画像Ｊを、表示部１３２へ送信する。表示部１３２は、受信した特定画像Ｊを表示する。なお、特定画像Ｊは、ＥＶＦ１３１が表示してもよい。そして、処理はステップＳ５１０に移行する。
【０２５２】
ステップＳ５１０では、操作判定部１５６が、撮影終了操作があったか否かを判定する。撮影終了操作とは、例えば、設定されている撮影モード（動画撮影モードまたは静止画撮影モード）の設定を解除するため操作Ｕである。撮影終了操作は、例えば、撮影装置１００の動作モードとして、撮影により得られた静止画または動画を閲覧するためのモードを設定するための操作である。
【０２５３】
操作部１７０は、撮影終了操作を受付けた場合、当該撮影終了操作を示す操作情報を、処理部１５０へ送信する。これにより、操作判定部１５６は、撮影終了操作があったか否かを判定する。
【０２５４】
ステップＳ５１０において、ＹＥＳならば、モード設定部１５５が、設定されている撮影モード（動画撮影モードまたは静止画撮影モード）の設定を解除し、この照明対応処理は終了する。一方、ステップＳ５１０において、ＮＯならば、再度、ステップＳ１２０の処理が行われる。
【０２５５】
なお、図８、図１１、図１２、図１５の処理が行われているときに、照明対応処理を終了するための割り込み処理があった場合、照明対応処理は終了する。当該割り込み処理は、例えば、撮影装置１００の電源をオフにするための処理である。
【０２５６】
以上説明したように、本実施の形態によれば、光パターン検出部１４１が、映像信号から明暗パターンを検出することにより、照明光に重畳された情報を検出する。すなわち、光を映像信号に変換する撮像素子部１１２以外に、光に重畳された情報を検出するための専用の受光素子が不要である。したがって、光に重畳された情報の検出を低コストで実現することができる。
【０２５７】
また、検出した指示情報としての指示コードと一致する判定コードが示す指示に従って、撮影装置１００は各種処理を行う。したがって、ユーザーに手間をかけることなく、照明５０が設置される場所、状況等に応じて撮影装置１００を制御することができる。すなわち、撮影装置１００の利便性を向上させることができる。
【０２５８】
本実施の形態の撮影装置１００によれば、例えば、フラッシュの撮影禁止場所（美術館など）での撮影で、意図せずフラッシュ発光をしてしまうことを防止することができる。
【０２５９】
また、撮像素子部１１２以外の専用の受光素子を必要としないため、機能追加時のコストアップを防ぐことができる。さらには、照明側の構造をシンプルにすることができる。
【０２６０】
また、本実施の形態によれば、光Ｌ１０を発する被写体に対して撮影装置１００の撮影機能を制限することができる。
【０２６１】
また、本実施の形態によれば、画像処理部が算出した輝度値から、明暗パターンを検出することができる。その結果、対象とする撮影装置を増やすことができる。
【０２６２】
また、本実施の形態によれば、光Ｌ１０を発する被写体に対して撮影装置１００が撮影できないようにすることができる。
【０２６３】
また、本実施の形態によれば、光Ｌ１０を発する被写体に対して撮影装置１００がフラッシュ光を使用した撮影ができないようにすることができる。
【０２６４】
また、本実施の形態によれば、撮影装置１００の撮影時におけるＩＳＯ感度を増加させることにより、光量不足を補い、良好な撮影をすることができる。
【０２６５】
また、本実施の形態によれば、撮影装置１００における、光Ｌ１０を発する被写体に対する補助光の発光を自動的にオフにすることができる。
【０２６６】
また、本実施の形態によれば、撮影装置１００が光Ｌ１０を発する被写体に対して静止画の撮影ができないようにすることができる。
【０２６７】
また、本実施の形態によれば、撮影装置１００が光Ｌ１０を発する被写体に対して動画の撮影ができないようにすることができる。
【０２６８】
また、本実施の形態によれば、撮影装置１００にシャッター音としての音声を出力させないようにすることができる。
【０２６９】
また、本実施の形態によれば、撮影装置１００にメカシャッターを自動で開放させることができる。
【０２７０】
また、本実施の形態によれば、撮影装置１００に表示部が表示中の画像の輝度を下げさせることができる。これにより、周囲への明かり漏れを最小限に減らすことができる。
【０２７１】
また、本実施の形態によれば、ステータス報知部が所定の周期でステータス光を点滅させることにより、撮影装置の動作状態を把握することができる。
【０２７２】
また、本実施の形態によれば、動画撮影モードを設定するか否かを促すための特定画像を表示することにより、ユーザーは、容易に、動画撮影モードを設定することができる。
【０２７３】
また、本実施の形態によれば、静止画撮影モードを設定するか否かを促すための特定画像を表示することにより、ユーザーは、容易に、静止画撮影モードを設定することができる。
【０２７４】
また、本実施の形態によれば、表示部１３２に画像の表示を行わせないようにし、ＥＶＦ１３１のみに画像を表示させる。これにより、周囲への明かり漏れを最小限に減らすことができる。
【０２７５】
＜第１の実施の形態の変形例＞
図１６は、第１の実施の形態の変形例における撮影システム１０００Ａの構成を示すブロック図である。
【０２７６】
撮影システム１０００Ａは、図１の撮影システム１０００と比較して、撮影装置１００の代わりに撮影装置１００Ａを備える点が異なる。それ以外の撮影システム１０００Ａの構成は、撮影システム１０００と同様なので詳細な説明は繰り返さない。
【０２７７】
図１７は、撮影装置１００Ａの構成を示すブロック図である。
【０２７８】
撮影装置１００Ａの構成は、図４の撮影装置１００の構成と同じである。撮影装置１００Ａは、図４の撮影装置１００と比較して、撮像素子部１１２、画像処理部１２０および光パターン検出部１４１の処理が異なる。撮影装置１００Ａにおけるそれ以外の各部の処理は、撮影装置１００と同様なので詳細な説明は繰り返さない。
【０２７９】
撮像素子部１１２は、映像信号を、画像処理部１２０へ送信する。画像処理部１２０は、前述の画像処理Ｎを行うことにより、輝度信号および色差信号を得る。
【０２８０】
そして、画像処理部１２０は、輝度信号および色差信号を得る毎に、当該輝度信号および色差信号を、ＥＶＦ１３１および表示部１３２へ送信するとともに、当該輝度信号（Ｙ）を、光パターン検出部１４１へ送信する。
【０２８１】
次に、本実施の形態における撮影装置１００Ａが行う具体的な処理（以下、照明対応処理Ａという）について説明する。なお、以下においては、第１の実施の形態と異なる処理を主に説明する。
【０２８２】
照明対応処理Ａは、撮影装置１００Ａの動作モードとして、静止画撮影モードまたは動画撮影モードが設定されている場合に行われる。
【０２８３】
静止画撮影モードまたは動画撮影モードが設定されると、第１の実施の形態と同様、処理部１５０は、撮影をするための制御を、撮影装置１００Ａ内の各部に対し行う。
【０２８４】
前述したように、撮像素子部１１２は、映像信号を、画像処理部１２０へ送信する。画像処理部１２０は、前述の画像処理Ｎを行うことにより、輝度信号および色差信号を得る。当該輝度信号は、各ＲＡＷデータに対応するピクチャを構成する複数の画素の輝度値を示す。すなわち、画像処理部１２０は、ＲＡＷデータを用いて、該ＲＡＷデータに対応するピクチャを構成する複数の画素の輝度値を算出する。
【０２８５】
また、画像処理部１２０は、輝度信号および色差信号を得る毎に、当該輝度信号（Ｙ）を、光パターン検出部１４１へ送信する。
【０２８６】
以下の照明対応処理Ａは、静止画撮影モードまたは動画撮影モードが設定されている撮影装置１００Ａにおいて、光パターン検出部１４１が、画像処理部１２０から、輝度信号（Ｙ）を受信しているときに行われる処理である。
【０２８７】
図１８は、照明対応処理Ａのフローチャートである。図１８において、図８のステップ番号と同じステップ番号の処理は、第１の実施の形態で説明した処理と同様な処理が行われるので詳細な説明は繰り返さない。
【０２８８】
照明対応処理Ａは、図８の照明対応処理と比較して、ステップＳ１１０の代わりにステップＳ１１０Ａが行われる点が異なる。
【０２８９】
ステップＳ１１０Ａの情報検出処理Ａは、ステップＳ１１０の情報検出処理と比較して、信号変換処理が行われない点が異なる。それ以外の処理は、ステップＳ１１０と同様なので詳細な説明は繰り返さない。
【０２９０】
光パターン検出部１４１は、画像処理部１２０から受信する輝度信号が示す各輝度値から、照明光に重畳された情報を検出する。なお、情報を検出する処理は、ステップＳ１１０の処理と同様なので詳細な説明は繰り返さない。これにより、光パターン検出部１４１は、ピクチャに対応する複数の輝度値の状態を、明暗パターンとして検出することにより、照明光に重畳された情報を検出する。
【０２９１】
なお、ステップＳ１１０Ａ以降の処理は、第１の実施の形態で説明した処理と同様なので詳細な説明は繰り返さない。
【０２９２】
以上説明したように、本実施の形態の変形例によれば、第１の実施の形態と同じ効果が得られる。すなわち、光に重畳された情報の検出を低コストで実現することができる。
【０２９３】
（照明光について）
第１の実施の形態および第１の実施の形態の変形例では、照明５０が直管型蛍光灯である場合について説明したが、本発明はこれに限定されない。照明５０は、例えば、ＬＥＤ（Light Emitting Diode）照明、インバーター式蛍光灯等であってもよい。
【０２９４】
次に、照明５０が、ＬＥＤ照明である場合において、照明光に情報を重畳させる方法について説明する。ＬＥＤ照明は、商用電源から供給される交流電圧を直流電圧に変換し、当該直流電圧を使用して照明光を照射する。照明５０の電源制御回路は、光を照射するために使用する直流電圧の波形を変化させることにより、照明光に情報を重畳させる。
【０２９５】
図１９は、照明光に情報を重畳させる方法を説明するための図である。
【０２９６】
図１９（ａ）は、図２（ａ）と同じ交流電圧の波形を示す図である。
【０２９７】
図１９（ｂ）に示されるようにＬＥＤ照明は、明るさが一定であり、光量の変化の周期を持たない。
【０２９８】
そのため、照明５０の電源制御回路が、ＬＥＤ照明に供給する電圧を制御することにより、図１９（ｃ）に示されるように、照明光の光量を変化させることができる。すなわち、照明光において、明暗の周期を発生させることができる。
【０２９９】
図１９（ｃ）の期間βに対応する波形を、特定周期で発生させることで、照明光に情報を重畳させることができる。
【０３００】
図１９（ｄ）は、図１９（ｃ）の光量の変化の状態を示すイメージ図である。
【０３０１】
次に、照明５０が、インバーター式蛍光灯である場合において、照明光に情報を重畳させる方法について説明する。
【０３０２】
図２０（ａ）は、図２（ａ）と同じ交流電圧の波形を示す図である。
【０３０３】
インバーター式蛍光灯は、図示しない商用電源から供給される交流電圧を使用して、さらに高周波な交流電圧（以下、高周波交流電圧という）を生成して使用する。そのため、インバーター式蛍光灯が高周波交流電圧を使用する場合、インバーター式蛍光灯の照明光は、図２０（ｂ）に示されるようにほぼ一定の明るさを保つ。
【０３０４】
そのため、照明５０の電源制御回路が、インバーター式蛍光灯に供給する電圧を制御することにより、図２０（ｃ）に示されるように、照明光の光量を大きく変化させることができる。すなわち、照明光において、明暗の周期を発生させることができる。
【０３０５】
図２０（ｃ）の期間γに対応する波形を、特定周期で発生させることで、照明光に情報を重畳させることができる。
【０３０６】
図２０（ｄ）は、図２０（ｃ）の光量の変化の状態を示すイメージ図である。
【０３０７】
図１９、図２０のような、情報が重畳された照明光を使用した場合でも、単位時間当たりの明暗の周期、一定期間内の明暗の不連続回数などを、明暗パターンとして検出することにより、照明光に重畳された情報を検出することができる。
【０３０８】
次に、照明５０がインバーター式蛍光灯である場合において、複数のピクチャを利用して、照明光に重畳された特定周期の明暗パターンを検出する方法を、図２１を用いて説明する。
【０３０９】
図２１（ａ）は、周波数が１２０Ｈｚである照明光に５ｂｉｔの特定周期θの情報をのせた（重畳した）場合の光量の変化を示す図である。図２１（ａ）の横方向は、時間軸を示す。
【０３１０】
図２１（ｂ）は、情報検出処理において得られた輝度信号が示す複数のピクチャの一部を示す図である。当該複数のピクチャの一部は、ピクチャＰ２０１，Ｐ２０２，Ｐ２０３，Ｐ２０４，Ｐ２０５である。なお、ピクチャＰ２０１〜Ｐ２０５の各々には、実際には被写体の画像も表示されるが、説明のために被写体の画像は示していない。
【０３１１】
ピクチャＰ２０１，Ｐ２０２，Ｐ２０３，Ｐ２０４，Ｐ２０５は、ピクチャＰ２０１〜Ｐ２０５の順で生成される。すなわち、ピクチャＰ２０５は、ピクチャＰ２０１よりも後に生成されるピクチャである。
【０３１２】
ピクチャＰ２０１，Ｐ２０２，Ｐ２０３，Ｐ２０４，Ｐ２０５の各々は、図２１（ａ）の時間軸と対応する。
【０３１３】
ここで、光パターン検出部１４１は、ピクチャＰ２０１〜Ｐ２０５において、照明光の光量が所定値以上である部分に対応するピクチャを判定ピクチャに設定する。判定ピクチャは、情報を検出するためのピクチャである。
【０３１４】
ここでは、特定周期情報の一例として、Ｐ２０１，Ｐ２０４のピクチャが、判定ピクチャに設定されたとする。
【０３１５】
この場合、各ピクチャＰ２０２，Ｐ２０３，Ｐ２０５は、高輝度ピクチャである。ここで、高輝度ピクチャを“０”と定義し、低輝度ピクチャを“１”と定義したとする。この場合、光パターン検出部１４１は、各判定ピクチャを構成する複数の画素の輝度値の平均値が、判定閾値Ｐ以上であるか否かを判定することにより“０”、“１”を検出する。
【０３１６】
ここで、光パターン検出部１４１は、特定周期の指示情報としての指示コード“１００１０”が重畳されていることを判別することができる。比較部１４２は、記憶部１４３から指示コードを読み出し、指示コード“１００１０”と一致する内容を処理部１５０へ返す。例えば、指示コードが“１００１０”である場合、当該指示コードに対応する指示は、図６より、フラッシュ光禁止である。
【０３１７】
以上のような方法により、光パターン検出部１４１は、映像信号から明暗パターンを検出することにより、照明光に重畳された特定周期の情報を検出する。
【０３１８】
照明光に情報を重畳させる方法は、上記方法に限定されない。例えば、照明光において、明時間と暗時間とが均等にならないよう、照明５０の電源制御回路が電圧を制御してもよい。
【０３１９】
また、照明光において、特定時間の２周期分を“１”と定義し、特定時間の１周期分を“０”と定義することにより、照明光における不連続期間に対応する部分に情報を持たせてもよい。
【０３２０】
（その他の変形例）
撮影装置１００，１００Ａの各々は、ＥＶＦ１３１を備えており、ＯＶＦを備えていないが、ＯＶＦを備えていてもよい。
【０３２１】
また、撮影装置１００，１００Ａの各々は、フラッシュ発光部１７１を備えているが、これに限定されない。撮影装置１００，１００Ａの各々は、フラッシュ発光部１７１を外部に備えてもよい。さらには、撮影装置１００，１００Ａの各々は、フラッシュ発光部１７１を備えていなくてもよい。その場合は、図１１の撮像補助制御処理のフラッシュに関わる処理を行わないようにすればよい。
【０３２２】
また、撮影装置１００，１００Ａの各々は、補助光部１７２を備えているが、補助光部１７２を備えていなくてもよい。その場合は、撮像補助制御処理の補助光部１７２に関わる処理を行わないようにすればよい。
【０３２３】
また、第１の実施の形態およびその変形例において、自動的に切り替える処理では、切替える旨を、事前にユーザーに知らせない場合がある。しかしながら、切り替える前にユーザーに切り替える旨を、表示部１３２またはＥＶＦ１３１を使用して報知してもよい。
【０３２４】
（機能ブロック図）
図２２は、撮影装置２００の特徴的な機能構成を示すブロック図である。撮影装置２００は、撮影装置１００又は撮影装置１００Ａに相当する。つまり、図２２は、撮影装置１００又は撮影装置１００Ａの有する機能のうち、本発明に関わる主要な機能を示すブロック図である。
【０３２５】
撮影装置２００は、情報が重畳された照明光が照射される被写体を撮影する。
【０３２６】
撮影装置２００は、機能的には、撮像素子部２１０と、光パターン検出部２２０と、比較部２３０と、表示部２４０とを備える。
【０３２７】
撮像素子部２１０は、前記被写体からの光を映像信号に変換する。撮像素子部２１０は、撮像素子部１１２に相当する。光パターン検出部２２０は、撮像素子部２１０により変換された前記映像信号から明暗パターンを検出することにより、前記照明光に重畳された前記情報を検出する。光パターン検出部２２０は、光パターン検出部１４１に相当する。
【０３２８】
比較部２３０は、前記光パターン検出部２２０により検出された前記情報である検出情報と予め定められた判定情報とを比較する。比較部２３０は、例えば、図８のステップＳ１２０の処理を行う比較部１４２に相当する。
【０３２９】
表示部２４０は、前記比較部２３０による比較結果に応じて、特定画像を表示する。表示部２４０は、例えば、図８のステップＳ１３１において特定画像Ｊを表示する表示部１３２に相当する。
【０３３０】
なお、撮影装置２００に含まれる、撮像素子部２１０、光パターン検出部２２０および比較部２３０の全てまたは一部は、ＬＳＩ（Large Scale Integration：大規模集積回路）等のハードウエアで構成されてもよい。また、撮像素子部２１０、光パターン検出部２２０および比較部２３０の全てまたは一部は、ＣＰＵ等のプロセッサにより実行されるプログラムのモジュールであってもよい。
【０３３１】
以上、本発明における撮影装置１００又は撮影装置１００Ａについて、実施の形態に基づいて説明したが、本発明は、これらの実施の形態に限定されるものではない。本発明の趣旨を逸脱しない限り、当業者が思いつく各種変形を本実施の形態に施したもの、あるいは異なる実施の形態における構成要素を組み合わせて構築される形態も、本発明の範囲内に含まれる。
【０３３２】
また、上記の撮影装置１００又は撮影装置１００Ａを構成する複数の構成要素の全てまたは一部は、ハードウエアで構成されてもよい。また、上記の撮影装置１００又は撮影装置１００Ａを構成する構成要素の全てまたは一部は、ＣＰＵ（Central Processing Unit）等により実行されるプログラムのモジュールであってもよい。
【０３３３】
また、上記の撮影装置１００又は撮影装置１００Ａを構成する複数の構成要素の全てまたは一部は、１個のシステムＬＳＩ（Large Scale Integration：大規模集積回路）から構成されてもよい。システムＬＳＩは、複数の構成要素を１個のチップ上に集積して製造された超多機能ＬＳＩであり、具体的には、マイクロプロセッサ、ＲＯＭ（Read Only Memory）及びＲＡＭ（Random Access Memory）などを含んで構成されるコンピュータシステムである。
【０３３４】
例えば、図４において、画像処理部１２０、光パターン検出部１４１、比較部１４２および処理部１５０は、１個のシステムＬＳＩから構成されてもよい。
【０３３５】
また、前述した処理を実行する各部は、１つであってもよく、複数であってもよい。すなわち、集中処理を行ってもよく、あるいは分散処理を行ってもよい。
【０３３６】
また、本発明は、撮影装置１００又は撮影装置１００Ａが備える特徴的な構成部の動作をステップとする情報検出方法として実現してもよい。
【０３３７】
また、本発明に係る情報検出方法は、図８の照明対応処理または図１８の照明対応処理Ａの全てまたは一部（例えば、ステップＳ１１０，Ｓ１２０，Ｓ１３１等）に相当する。本発明に係る情報検出方法は、図８または図１８における、対応する全てのステップを必ずしも含む必要はない。すなわち、本発明に係る情報検出方法は、本発明の効果を実現できる最小限のステップのみを含めばよい。ここで、本発明の効果を実現できる最小限のステップは、例えば、図８のステップＳ１１０，Ｓ１２０，Ｓ１３１である。
【０３３８】
また、本発明は、そのような情報検出方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０３３９】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【産業上の利用可能性】
【０３４０】
本発明は、光に重畳された情報の検出を低コストで実現可能な撮影装置として、利用することができる。
【符号の説明】
【０３４１】
５０  照明
１００，１００Ａ，２００  撮影装置
１１１  メカシャッター部
１１２，２１０  撮像素子部
１２０  画像処理部
１３１  ＥＶＦ
１３２，２４０  表示部
１４１，２２０  光パターン検出部
１４２，２３０  比較部
１４３  記憶部
１５０  処理部
１５１  撮影禁止設定部
１５２  発光制御部
１５３  画像生成部
１５４  補助光制御部
１５５  モード設定部
１５６  操作判定部
１５７  シャッター音制御部
１５８  メカシャッター制御部
１５９  表示制御部
１６０  ステータス報知制御部
１６１  ＩＳＯ感度変更部
１７０  操作部
１７１  フラッシュ発光部
１７２  補助光部
１８１  スピーカー
１８２  ステータス報知部
１０００，１０００Ａ  撮影システム
【図１】
2011111296.tif 000003
【図２】
2011111296.tif 000004
【図３】
2011111296.tif 000005
【図４】
2011111296.tif 000006
【図５】
2011111296.tif 000007
【図６】
2011111296.tif 000008
【図７】
2011111296.tif 000009
【図８】
2011111296.tif 000010
【図９】
2011111296.tif 000011
【図１０】
2011111296.tif 000012
【図１１】
2011111296.tif 000013
【図１２】
2011111296.tif 000014
【図１３】
2011111296.tif 000015
【図１４】
2011111296.tif 000016
【図１５】
2011111296.tif 000017
【図１６】
2011111296.tif 000018
【図１７】
2011111296.tif 000019
【図１８】
2011111296.tif 000020
【図１９】
2011111296.tif 000021
【図２０】
2011111296.tif 000022
【図２１】
2011111296.tif 000023
【図２２】
2011111296.tif 000024
【国際調査報告】
2011111296.tif 000025
2011111296.tif 000026
2011111296.tif 000027
2011111296.tif 000028